(57)【要約】【課題】眼圧測定部とその他の眼特性測定部とを設けても、装置周辺の空間を効率よく利用することを可能とする眼科装置を提供することを目的とする。【解決手段】眼科装置１０は、被検者の被検眼Ｅの角膜Ｅｃに流体を吹き付けて角膜Ｅｃを変形させて眼圧を測定する眼圧測定部２０と、被検眼Ｅからの反射光を受光して被検眼Ｅの光学特性を測定する眼特性測定部４０と、を備え、眼圧測定部２０と眼特性測定部４０とは、少なくとも一方の光学系の一部を他方の光学系に交差させて配置されている。【選択図】  図５
2014217699.tif 000002
【特許請求の範囲】
【請求項１】
被検者の被検眼の角膜に流体を吹き付けて前記角膜を変形させて眼圧を測定する眼圧測定部と、
前記被検眼からの反射光を受光して前記被検眼の光学特性を測定する眼特性測定部と、を備え、
前記眼圧測定部と前記眼特性測定部とは、少なくとも一方の光学系の一部を他方の光学系に交差させて配置されていることを特徴とする眼科装置。
【請求項２】
前記眼圧測定部と前記眼特性測定部とは、一体的な構成とされていることを特徴とする請求項１に記載の眼科装置。
【請求項３】
前記眼圧測定部は、取付基盤における一方の面に取り付けられ、
前記眼特性測定部とは、前記取付基盤における他方の面に取り付けられて構成されていることを特徴とする請求項１または請求項２に記載の眼科装置。
【請求項４】
前記眼圧測定部は、流体の吹き付けにより変形した前記角膜の形状を検出すべく、前記角膜からの反射光を受光する受光部を有し、
前記眼圧測定部は、前記角膜からの反射光を前記受光部へと導くための光路を、前記眼特性測定部の光路に向けて屈曲することで、前記眼圧測定部の光学系を前記眼特性測定部の光学系に交差させていることを特徴とする請求項１から請求項３のいずれか１項に記載の眼科装置。
【請求項５】
前記眼圧測定部と前記眼特性測定部とは、前記眼圧測定部の主光軸が、前記眼特性測定部の主光軸よりも上方に位置されて構成されていることを特徴とする請求項１から請求項４のいずれか１項に記載の眼科装置。
【請求項６】
前記眼圧測定部は、取付基盤の上面に取り付けられ、
前記眼特性測定部は、前記取付基盤の下面に取り付けられていることを特徴とする請求項５に記載の眼科装置。
【請求項７】
前記眼圧測定部と前記眼特性測定部とは、前記眼圧測定部の主光軸が、前記眼特性測定部の主光軸よりも上方に位置されて構成されるとともに、前記眼圧測定部における前記被検者側の前端を、前記眼特性測定部における前記被検者側の前端よりも前記被検者側に変位させて、一体的な構成とされていることを特徴とする請求項１から請求項６のいずれか１項に記載の眼科装置。
【請求項８】
前記眼特性測定部では、測定を実行する際に、前記被検眼に応じて前記眼特性測定部の主光軸が伸びる方向への移動の基準とすべく、前記被検眼から前記眼特性測定部における前記被検者側の前端までの基準間隔が設定され、
前記基準間隔は、７５ｍｍ以上に設定していることを特徴とする請求項７に記載の眼科装置。
【発明の詳細な説明】
【技術分野】
【０００１】
本発明は、眼圧測定部と、その他の眼特性測定部とが設けられた複合型の眼科装置に関する。
【背景技術】
【０００２】
眼科装置では、被検眼の眼圧測定とその他の光学特性（眼特性）測定とが可能とされた複合型の眼科装置が提案されている（例えば、特許文献１参照）。この眼科装置では、診察室や検査室の限られたスペースを有効利用することができるとともに、被検者（患者）および検者の移動をなくすことで検査作業の時間と手間とを低減することができる。
【先行技術文献】
【特許文献】
【０００３】
【特許文献１】特開２０１０−１４８５８９号公報
【発明の概要】
【発明が解決しようとする課題】
【０００４】
しかしながら、上記した従来の眼科装置では、被検眼の角膜に流体を吹き付けて当該被検眼の眼圧を測定する眼圧測定部と、被検眼からの反射光を光学系で受光して眼特性を測定するその他の眼特性測定部と、を互いに独立して設けるとともに、その眼圧測定部とその他の眼特性測定部とを並べて配置している。このため、従来の眼科装置では、当該装置の大型化を招いてしまい、装置周辺の空間を効率よく利用する観点から改善の余地があった。
【０００５】
本発明は、上記の事情に鑑みて為されたもので、眼圧測定部とその他の眼特性測定部とを設けても、装置周辺の空間を効率よく利用することを可能とする眼科装置を提供することを目的とする。
【課題を解決するための手段】
【０００６】
上記した課題を解決するために、請求項１に記載の眼科装置は、被検者の被検眼の角膜に流体を吹き付けて前記角膜を変形させて眼圧を測定する眼圧測定部と、前記被検眼からの反射光を受光して前記被検眼の光学特性を測定する眼特性測定部と、を備え、前記眼圧測定部と前記眼特性測定部とは、少なくとも一方の光学系の一部を他方の光学系に交差させて配置されていることを特徴とする。
【０００７】
請求項２の眼科装置は、請求項１に記載の眼科装置であって、前記眼圧測定部と前記眼特性測定部とは、一体的な構成とされていることを特徴とする。
【０００８】
請求項３の眼科装置は、請求項１または請求項２に記載の眼科装置であって、前記眼圧測定部は、取付基盤における一方の面に取り付けられ、前記眼特性測定部とは、前記取付基盤における他方の面に取り付けられて構成されていることを特徴とする。
【０００９】
請求項４の眼科装置は、請求項１から請求項３のいずれか１項に記載の眼科装置であって、前記眼圧測定部は、流体の吹き付けにより変形した前記角膜の形状を検出すべく、前記角膜からの反射光を受光する受光部を有し、前記眼圧測定部は、前記角膜からの反射光を前記受光部へと導くための光路を、前記眼特性測定部の光路に向けて屈曲することで、前記眼圧測定部の光学系を前記眼特性測定部の光学系に交差させていることを特徴とする。
【００１０】
請求項５の眼科装置は、請求項１から請求項４のいずれか１項に記載の眼科装置であって、前記眼圧測定部と前記眼特性測定部とは、前記眼圧測定部の主光軸が、前記眼特性測定部の主光軸よりも上方に位置されて構成されていることを特徴とする。
【００１１】
請求項６の眼科装置は、請求項５に記載の眼科装置であって、前記眼圧測定部は、取付基盤の上面に取り付けられ、前記眼特性測定部は、前記取付基盤の下面に取り付けられていることを特徴とする。
【００１２】
請求項７の眼科装置は、請求項１から請求項６のいずれか１項に記載の眼科装置であって、前記眼圧測定部と前記眼特性測定部とは、前記眼圧測定部の主光軸が、前記眼特性測定部の主光軸よりも上方に位置されて構成されるとともに、前記眼圧測定部における前記被検者側の前端を、前記眼特性測定部における前記被検者側の前端よりも前記被検者側に変位させて、一体的な構成とされていることを特徴とする。
【００１３】
請求項８の眼科装置は、請求項７に記載の眼科装置であって、前記眼特性測定部では、測定を実行する際に、前記被検眼に応じて前記眼特性測定部の主光軸が伸びる方向への移動の基準とすべく、前記被検眼から前記眼特性測定部における前記被検者側の前端までの基準間隔が設定され、前記基準間隔は、７５ｍｍ以上に設定していることを特徴とする。
【発明の効果】
【００１４】
本発明の眼科装置によれば、眼圧測定部とその他の眼特性測定部とを設けても、装置周辺の空間を効率よく利用することができる。
【００１５】
上記した構成に加えて、前記眼圧測定部と前記眼特性測定部とは、一体的な構成とされていることとすると、眼圧測定部と眼特性測定部との位置関係を変更させる必要をなくすことができ、その位置関係の変更のための構成をなくすことができる。これにより、眼科装置では、眼圧測定部と眼特性測定部とを個別に支持する構成を設ける必要がなくなるともに、それらの位置関係を変更させる機構を設ける必要がなくなるので、大きさ寸法を大幅に低減することができる。
【００１６】
上記した構成に加えて、前記眼圧測定部は、取付基盤における一方の面に取り付けられ、前記眼特性測定部とは、前記取付基盤における他方の面に取り付けられて構成されていることとすると、簡易な構成としつつ眼圧測定部と眼特性測定部とを一体的な構成とすることができる。
【００１７】
上記した構成に加えて、前記眼圧測定部は、流体の吹き付けにより変形した前記角膜の形状を検出すべく、前記角膜からの反射光を受光する受光部を有し、前記眼圧測定部は、前記角膜からの反射光を前記受光部へと導くための光路を、前記眼特性測定部の光路に向けて屈曲することで、前記眼圧測定部の光学系を前記眼特性測定部の光学系に交差させていることとすると、眼特性測定部の配置に利用する空間の大きさの増大を招くことを防止しつつ、眼圧測定部の配置に利用する空間の大きさを低減することができる。
【００１８】
上記した構成に加えて、前記眼圧測定部と前記眼特性測定部とは、前記眼圧測定部の主光軸が、前記眼特性測定部の主光軸よりも上方に位置されて構成されていることとすると、眼圧測定部により測定を行う際、眼圧測定部よりも上方に位置するものを小さなものとすることができるので、検者が開瞼（被検者が瞼を閉じないように押さえる）することや被検眼の様子を直に観察することを容易なものとすることができる。
【００１９】
上記した構成に加えて、前記眼圧測定部は、取付基盤の上面に取り付けられ、前記眼特性測定部は、前記取付基盤の下面に取り付けられていることとすると、簡易な構成としつつ眼圧測定部と眼特性測定部とを一体的な構成とすることができる。
【００２０】
上記した構成に加えて、前記眼圧測定部と前記眼特性測定部とは、前記眼圧測定部の主光軸が、前記眼特性測定部の主光軸よりも上方に位置されて構成されるとともに、前記眼圧測定部における前記被検者側の前端を、前記眼特性測定部における前記被検者側の前端よりも前記被検者側に変位させて、一体的な構成とされていることとすると、基本的に眼特性測定部の上方に眼圧測定部を一体的に設ける構成であっても、眼圧測定部により測定を行う際、被検者の鼻や口の前に空間を確保することができ、眼特性測定部の前端が被検者の鼻や口に接触することや、被検者に窮屈な感覚を与えることを防止することができる。
【００２１】
上記した構成に加えて、前記眼特性測定部では、測定を実行する際に、前記被検眼に応じて前記眼特性測定部の主光軸が伸びる方向への移動の基準とすべく、前記被検眼から前記眼特性測定部における前記被検者側の前端までの基準間隔が設定され、前記基準間隔は、７５ｍｍ以上に設定していることとすると、基本的に眼特性測定部の上方に眼圧測定部を一体的に設ける構成であって、眼圧測定部の前端を眼特性測定部の前端よりも被検者側に変位させて一体的に設ける構成であっても、眼特性測定部を基準間隔から所定の移動幅で被験者側へと移動させつつ当該眼特性測定部による測定を行うことができる。
【図面の簡単な説明】
【００２２】
【図１】本発明に係る実施例の眼科装置１０の構成を模式的に示す説明図である。
【図２】眼科装置１０の眼圧測定部２０の光学的な構成を説明するための説明図である。
【図３】眼科装置１０の眼圧測定部２０の光学的な構成を説明するための図２とは異なる方向から見た説明図である。
【図４】眼科装置１０の眼特性測定部４０の光学的な構成を説明するための説明図である。
【図５】眼圧測定部２０の光学系の一部を眼特性測定部４０の光学系に交差させた配置としたことを説明するための説明図である。
【図６】装置本体部１３を移動させて測定モードを切り替える様子を説明するための説明図であり、（ａ）は眼圧測定モードとされた状態を示し、（ｂ）は眼特性測定モードとされた状態を示す。
【図７】装置本体部１３と額当部１６との位置関係を用いて所定の高さ位置ＨＬおよび所定の前方位置ＦＬを説明するための説明図であり、（ａ）は所定の高さ位置ＨＬを示し、（ｂ）は所定の前方位置ＦＬを示す。
【図８】眼圧測定部２０と眼特性測定部４０とを単一の取付基盤４９に取り付けて構成した様子を説明するための説明図である。
【図９】保護部材５１の構成を説明するための説明図である。
【図１０】表示部１４に切替アイコン５２と切替アイコン５３とを表示した様子を模式的に示す説明図である。
【発明を実施するための形態】
【００２３】
以下に、本願発明に係る眼科装置の発明の実施の形態について図面を参照しつつ説明する。
【実施例】
【００２４】
本発明に係る眼科装置の一実施例としての眼科装置１０を、図１から図１０を用いて説明する。眼科装置１０は、図１に示すように、被検眼Ｅ（図２等参照）の眼圧を測定する眼圧測定部２０と、被検眼Ｅのその他の光学特性（眼特性）を測定する眼特性測定部４０と、を備える複合型の眼科装置である。この被検眼Ｅについては、図２および図３では、眼底（網膜）Ｅｆ、角膜（前眼部）Ｅｃおよび角膜頂点Ｅｐを示している。その眼科装置１０は、ベース１１に駆動部１２を介して装置本体部１３が設けられて構成されている。その装置本体部１３には、内方に眼圧測定部２０および眼特性測定部４０が設けられ、外方に表示部１４、顎受部１５および額当部１６が設けられている。
【００２５】
その表示部１４は、液晶ディスプレイで形成されており、後述する制御部３３（図２参照）の制御下で、被検眼Ｅの前眼部像等の画像や検査結果等を表示させる。表示部１４は、本実施例では、タッチパネルの機能を搭載しており、眼圧測定部２０または眼特性測定部４０を用いて測定を行うための操作や、手動により装置本体部１３を移動するための操作を行うことが可能とされている。また、表示部１４は、タッチパネルの機能を利用して、後述する各測定モードにおいて切替アイコン５２、５３（図１０参照）を表示し、当該切替アイコン５２、５３に触れることによる各測定モードの切り替え操作を可能としている。なお、測定を行うための操作は、測定スイッチを設けて、当該測定スイッチの操作により行うものであってもよい。また、装置本体部１３を移動するための操作は、コントロールレバーや移動操作スイッチを設けて、当該コントロールレバーや当該移動操作スイッチの操作により行うものであってもよい。
【００２６】
顎受部１５および額当部１６は、測定時に装置本体部１３に対して被検者（患者）の顔、すなわち被検眼Ｅの位置を固定するものであり、ベース１１に固定されて設けられている。その顎受部１５は、被検者が顎を載せる箇所となり、額当部１６は、当該被検者が額を宛がう箇所となる。この眼科装置１０では、表示部１４と、顎受部１５および額当部１６と、が、装置本体部１３を挟んだ両側に設けられており、通常の使用時において、表示部１４が検者の側となり、顎受部１５および額当部１６が被検者の側となる。その表示部１４は、装置本体部１３に回転自在に支持されており、表示面の向きを変更すること、例えば、表示面を被検者側に向けることや、表示面を側方（Ｘ軸方向）に向けることが可能とされている。その装置本体部１３は、駆動部１２により、ベース１１に対して移動すること、すなわち顎受部１５と額当部１６とにより固定された被検眼Ｅ（被検者の顔）に対して移動することが可能とされている。
【００２７】
その駆動部１２は、装置本体部１３をベース１１に対して、上下方向（Ｙ軸方向）と、前後方向（Ｚ軸方向（図１を正面視して左右方向））と、それらに直交する左右方向（Ｘ軸方向（図１の紙面に直交する方向）と、に移動させる。なお、この実施例では、上下方向の上側をＹ軸方向の正側とし、前後方向の被検者側（図１を正面視して右側）をＺ軸方向の正側とし、左右方向において図１を正面視して手前側をＸ軸方向の正側とする（図１の矢印参照）。本実施例では、駆動部１２は、Ｙ軸駆動部分１２ａとＺ軸駆動部分１２ｂとＸ軸駆動部分１２ｃとを有する。
【００２８】
Ｙ軸駆動部分１２ａは、ベース１１に設けられており、Ｚ軸駆動部分１２ｂおよびＸ軸駆動部分１２ｃを介して、ベース１１に対して装置本体部１３をＹ軸方向（上下方向）へと移動（変位）させる。換言すると、Ｙ軸駆動部分１２ａは、駆動部１２において、装置本体部１３をＹ軸方向（上下方向）への移動させるための箇所となる。このＹ軸駆動部分１２ａは、支持支柱１２ｄとＹ軸移動枠１２ｅとを有する。その支持支柱１２ｄは、ベース１１に固定されて設けられており、そのベース１１からＹ軸方向へと伸びて設けられている。Ｙ軸移動枠１２ｅは、その支持支柱１２ｄを取り囲むことが可能な枠形状とされており、図示を略すＹ軸ガイド部材を介してＹ軸方向への相対的な移動が可能に当該支持支柱１２ｄに取り付けられている。そのＹ軸移動枠１２ｅは、支持支柱１２ｄ（ベース１１）に対するＹ軸方向での移動可能な範囲が、後述する眼圧測定モード（図６（ａ）参照）において眼圧測定部２０を最も下方（負側）に位置させることと、後述する眼特性測定モード（図６（ｂ）参照）において眼特性測定部４０を最も上方（正側）に位置させることと、を可能とするように設定されている。
【００２９】
そのＹ軸移動枠１２ｅでは、図示は略すが、支持支柱１２ｄとの間に弾性部材が設けられており、その弾性部材から上方へ向けて押す力が付与されている。その弾性部材は、本実施例では、螺旋状とされた線材により構成され、無負荷状態において最も縮み、一端と他端とを離間させる動作に抗する弾性力を発揮する引張バネを用いている。すなわち、Ｙ軸移動枠１２ｅは、弾性部材により支持支柱１２ｄに対して吊り下げる構成とされている。Ｙ軸移動枠１２ｅは、Ｙ軸ガイド部材により支持支柱１２ｄ（ベース１１）に対する相対的な移動方向がＹ軸方向に規定された状態で、弾性部材を介して支持支柱１２ｄ（ベース１１）に支持されている。なお、弾性部材は、支持支柱１２ｄ（ベース１１）に対してＹ軸方向へと押す力をＹ軸移動枠１２ｅに付与して当該Ｙ軸移動枠１２ｅを支持するものであれば、圧縮バネを用いるものであってもよく、その他の構成であってもよく、本実施例に限定されるものではない。その圧縮バネは、螺旋状とされた線材により構成され、無負荷状態において最も伸びて、一端と他端とを接近させる動作に抗する弾性力を発揮するものである。この圧縮バネを用いる場合、支持支柱１２ｄもしくはベース１１が当該圧縮バネを介してＹ軸移動枠１２ｅを下から支える構成とすればよい。
【００３０】
Ｙ軸駆動部分１２ａには、支持支柱１２ｄに対してＹ軸移動枠１２ｅをＹ軸方向へと移動させる移動力を付与する駆動力伝達機構が設けられている。Ｙ軸駆動部分１２ａでは、上方への移動力を駆動力伝達機構からＹ軸移動枠１２ｅに付与することで当該Ｙ軸移動枠１２ｅを弾性部材が釣り合う位置からＹ軸方向正側へと移動させ、下方への移動力を駆動力伝達機構からＹ軸移動枠１２ｅに付与することで当該Ｙ軸移動枠１２ｅを弾性部材が釣り合う位置からＹ軸方向負側へと移動させる。
【００３１】
Ｚ軸駆動部分１２ｂは、Ｙ軸移動枠１２ｅ（Ｙ軸駆動部分１２ａ）に設けられており、Ｘ軸駆動部分１２ｃを介して、Ｙ軸駆動部分１２ａすなわちベース１１に対して装置本体部１３をＺ軸方向（前後方向）へと移動（変位）させる。換言すると、Ｚ軸駆動部分１２ｂは、駆動部１２において、装置本体部１３をＺ軸方向（前後方向）への移動させるための箇所となる。このＺ軸駆動部分１２ｂは、Ｚ軸支持台１２ｆとＺ軸移動台１２ｇとを有する。Ｚ軸支持台１２ｆは、Ｙ軸移動枠１２ｅに固定されて設けられており、Ｙ軸移動枠１２ｅと共にＹ軸方向へと移動される。このＺ軸支持台１２ｆは、図示を略すＺ軸ガイド部材を介してＺ軸方向への相対的な移動が可能にＺ軸移動台１２ｇを支持している。Ｚ軸駆動部分１２ｂには、Ｚ軸支持台１２ｆに対してＺ軸移動台１２ｇをＺ軸方向へと移動させる移動力を付与する駆動力伝達機構が設けられている。Ｚ軸駆動部分１２ｂでは、Ｚ軸方向への移動力を駆動力伝達機構からＺ軸移動台１２ｇに付与することで、当該Ｚ軸移動台１２ｇを適宜Ｚ軸方向へと移動させる。
【００３２】
Ｘ軸駆動部分１２ｃは、Ｚ軸移動台１２ｇ（Ｚ軸駆動部分１２ｂ）に設けられており、Ｚ軸駆動部分１２ｂすなわちベース１１に対して装置本体部１３をＸ軸方向（左右方向）へと移動（変位）させる。換言すると、Ｘ軸駆動部分１２ｃは、駆動部１２において、装置本体部１３をＸ軸方向（左右方向）への移動させるための構成となる。このＸ軸駆動部分１２ｃは、Ｘ軸支持台１２ｈとＸ軸移動台１２ｉとを有する。Ｘ軸支持台１２ｈは、Ｚ軸移動台１２ｇに固定されて設けられており、Ｚ軸移動台１２ｇと共にＺ軸方向へと移動される。このＸ軸支持台１２ｈは、図示を略すＸ軸ガイド部材を介してＸ軸方向への相対的な移動が可能にＸ軸移動台１２ｉを支持している。Ｘ軸駆動部分１２ｃには、Ｘ軸支持台１２ｈに対してＸ軸移動台１２ｉをＸ軸方向へと移動させる移動力を付与する駆動力伝達機構が設けられている。Ｘ軸駆動部分１２ｃでは、Ｘ軸方向への移動力を駆動力伝達機構からＸ軸移動台１２ｉに付与することで、当該Ｘ軸移動台１２ｉを適宜Ｘ軸方向へと移動させる。このＸ軸移動台１２ｉには、後述する取付基盤４９（図８参照）を介して装置本体部１３が固定されている。
【００３３】
このため、駆動部１２は、Ｙ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させることができる。なお、駆動部１２では、明確な図示は略すがＹ軸駆動部分１２ａとＺ軸駆動部分１２ｂとＸ軸駆動部分１２ｃとがそれぞれ制御部３３（図２参照）に接続されており、各駆動部分が制御部３３の制御下で駆動される。その制御部３３は、眼科装置１０における電気制御系を構成するものであり、内蔵する記憶部に格納されたプログラムにより眼科装置１０の各部を統括的に制御する。
【００３４】
なお、図１では、理解容易とするために省略しているが、眼科装置１０では、全体の外形形状を形作るカバー部材が設けられており、ベース１１から駆動部１２を経て装置本体部１３までが当該カバー部材により覆われている。また、図１では、駆動部１２において、Ｙ軸駆動部分１２ａとＺ軸駆動部分１２ｂとＸ軸駆動部分１２ｃとをＹ軸方向に積層して示しているが、完全にＹ軸方向に分割されて構成されているものではなく、Ｙ軸方向に直交する方向で見ると各部が互いに重なり合うように構成されている。このため、駆動部１２すなわち眼科装置１０では、高さ寸法（Ｙ軸方向で見た大きさ寸法）の増大を防止しつつ、装置本体部１３をベース１１に対して適宜移動することが可能とされている。
【００３５】
その装置本体部１３には、内方に眼圧測定部２０と眼特性測定部４０とが設けられている。眼圧測定部２０は、被検眼Ｅの眼圧を測定する際に用いる。眼特性測定部４０は、被検眼Ｅの光学特性（眼特性）を測定するものであり、本実施例では、被検眼Ｅの角膜Ｅｃの形状と被検眼Ｅの眼屈折力（球面度数、乱視度数、乱視軸角度等）とを測定する際に用いる。本実施例の眼科装置１０では、装置本体部１３において、眼圧測定部２０において主光軸となる後述する光軸Ｏ１を、眼特性測定部４０における後述する主光軸Ｏ１０よりも上方（Ｙ軸方向正側）に設けている（図５等参照）。このため、この眼科装置１０では、装置本体部１３において、基本的に、眼特性測定部４０の上方に眼圧測定部２０が設けられている。ここで、眼圧測定部２０と眼特性測定部４０との位置関係において基本的にと言ったのは、本願発明では、後述するように眼圧測定部２０と眼特性測定部４０とを個別に分離して構成するものではなく、眼圧測定部２０と眼特性測定部４０とにおいて一方の光学系の一部を他方の光学系に交差させることで、眼圧測定部２０と眼特性測定部４０との一部を入り組ませて一体的な構成としていることによる。
【００３６】
次に、図２および図３を用いて、眼圧測定部２０の光学的な構成を説明する。その眼圧測定部２０は、非接触式の眼圧計である。眼圧測定部２０は、図２および図３に示すように、前眼部観察光学系２１とＸＹアライメント指標投影光学系２２と固視標投影光学系２３と圧平検出光学系２４とＺアライメント指標投影光学系２５とＺアライメント検出光学系２６とを備える。
【００３７】
その前眼部観察光学系２１は、被検眼Ｅの前眼部の観察およびＸＹアライメント（Ｘ−Ｙ平面に沿う方向におけるアライメント）をするために設けられている。この前眼部観察光学系２１は、前眼部照明光源２１ａ（図２参照）が設けられるとともに、光軸Ｏ１上に、気流吹付ノズル２１ｂと前眼部窓ガラス２１ｃ（図３参照）とチャンバー窓ガラス２１ｄとハーフミラー２１ｅとハーフミラー２１ｇと対物レンズ２１ｆとＣＣＤカメラ２１ｉとが設けられて構成されている。前眼部照明光源２１ａは、前眼部窓ガラス２１ｃの周囲に位置されており（図２参照）、その前眼部を直接照明すべく複数個（図２には２つのみ示す）設けられている。気流吹付ノズル２１ｂは、被検眼Ｅ（その前眼部）に気流を吹き付けるためのノズルであり、後述する気流吹付機構３４の空気圧縮室３４ａ（図３参照）に設けられている。ＣＣＤカメラ２１ｉは、受光面に形成された画像（前眼部像等）に基づく画像信号を生成するものであり、生成した画像信号を制御部３３（図２参照）へと出力する。このＣＣＤカメラ２１ｉより取得された画像は、制御部３３の制御下で、表示部１４（図１参照）に適宜表示されるとともに、図示を略す外部機器へと適宜出力される。
【００３８】
このＣＣＤカメラ２１ｉは、図３に示すように、合焦駆動機構２１Ｄにより光軸Ｏ１に沿って移動可能とされている。合焦駆動機構２１Ｄは、制御部３３（図２参照）の制御下で、被検眼Ｅの前眼部（角膜Ｅｃ）にピントを合わせるべくＣＣＤカメラ２１ｉを適宜移動させる。その合焦駆動機構２１Ｄでは、その駆動源を後述する固視標投影光学系４１の固視標移動機構４１Ｄ（図４参照）と共用するものとしている。すなわち、当該駆動源は、後述する眼圧測定モード（図６（ａ）参照）において合焦駆動機構２１Ｄを駆動させ、かつ後述する眼特性測定モード（図６（ｂ）参照）において固視標移動機構４１Ｄを駆動させる。制御部３３は、合焦駆動機構２１Ｄを介して、眼圧測定部２０すなわち装置本体部１３の位置に応じて、ＣＣＤカメラ２１ｉの光軸Ｏ１上での位置を変化させることにより、被検眼Ｅの前眼部（角膜Ｅｃ）にピントを合わせる。
【００３９】
この制御部３３は、本実施例では、光軸Ｏ１上における第１焦点位置ｆ１と第２焦点位置ｆ２との２つの位置で、合焦駆動機構２１Ｄを介してＣＣＤカメラ２１ｉを変位させることが可能とされている。その第１焦点位置ｆ１は、眼圧測定部２０（装置本体部１３）を、被検眼Ｅの眼圧の測定を実行することを可能とする位置とした際に、被検眼Ｅの前眼部（角膜Ｅｃ）にピントが合う位置とされている。その被検眼Ｅの眼圧の測定を実行することを可能とする位置は、本実施例では、気流吹付ノズル２１ｂの先端から被検眼Ｅまでの距離（間隔ｄ１）を１１ｍｍとする位置に設定されている（図６（ａ）参照）。第２焦点位置ｆ２は、眼圧測定部２０（装置本体部１３）を、被検眼Ｅ（被検者）から十分に離した位置とした際に、被検眼Ｅの前眼部（角膜Ｅｃ）にピントが合う位置とされている。これは、後述するように、眼特性測定モード（眼特性測定部４０による測定モード）から、眼圧測定モード（眼圧測定部２０による測定モード）へと切り替える際、眼圧測定部２０（装置本体部１３）を、先ずＹ軸方向へと移動して被検眼Ｅに対応する高さ位置としてから、Ｚ軸方向へと移動させて被検眼Ｅに近付けていくことによる。このような移動は、被検眼Ｅに極めて近付けられる気流吹付ノズル２１ｂ（その先端）が、誤って被検眼Ｅと接触することを防止するために行われる。または、眼圧測定モードにおいて、測定対象とする被検眼Ｅを被検者の左右眼で切り換える際、眼圧測定部２０（装置本体部１３）を、一方の眼圧を測定した位置から先ず後退（Ｚ軸方向負側）し、左右方向（Ｘ軸方向）へと移動して、他方の被検眼Ｅに近付く方向へと移動させながらアライメントを行うことにもよる。このような動作は、眼圧測定部２０の気流吹付ノズル２１ｂの先端が、誤って被検者（その鼻等）に接触することを防止するために行われる。そして、制御部３３は、本実施例では、ベース１１に対する装置本体部１３（眼圧測定部２０）の位置、すなわち駆動部１２（そのＺ軸駆動部分１２ｂ）によるＺ軸方向（前後方向）での制御位置に応じて、ＣＣＤカメラ２１ｉの位置を第１焦点位置ｆ１と第２焦点位置ｆ２とで切り替える。これは、眼圧測定部２０と被検眼Ｅとの間隔が、ベース１１に対する装置本体部１３（眼圧測定部２０）の位置によりおおまかに決定することによる。なお、合焦駆動機構２１Ｄでは、駆動源を後述する固視標投影光学系４１の固視標移動機構４１Ｄ（図４参照）と共用するものとしていたが、後述する眼屈折力測定用リング状指標投影光学系４３（受光光学系４４）の指標移動機構４３Ｄ（図４参照）と駆動源を共用するものとしてもよく、本実施例に限定されるものではない。
【００４０】
この前眼部観察光学系２１では、前眼部照明光源２１ａ（図２参照）で被検眼Ｅ（その前眼部）を照明しつつ、その被検眼Ｅの前眼部像をＣＣＤカメラ２１ｉで取得する。その前眼部像（その光束）は、気流吹付ノズル２１ｂの外を通り、前眼部窓ガラス２１ｃ（後述するガラス板３４ｂも含む）、チャンバー窓ガラス２１ｄ、ハーフミラー２１ｇおよびハーフミラー２１ｅを透過し、対物レンズ２１ｆにより集束されて、ＣＣＤカメラ２１ｉ（その受光面）上に形成される。このＣＣＤカメラ２１ｉ（前眼部観察光学系２１）は、形成された前眼部像の受光に基づく信号を制御部３３（図２参照）へと出力する。その制御部３３は、ＣＣＤカメラ２１ｉ（前眼部観察光学系２１）で取得した前眼部像を表示部１４（図１参照）に適宜表示させる。
【００４１】
また、前眼部観察光学系２１では、後述するようにＸＹアライメント指標投影光学系２２により被検眼Ｅに投影されたＸＹアライメント指標光の角膜Ｅｃによる反射光を、ＣＣＤカメラ２１ｉ（その受光面）へと進行させる。詳細には、前眼部観察光学系２１では、当該反射光束を、気流吹付ノズル２１ｂの内部を通り、チャンバー窓ガラス２１ｄ、ハーフミラー２１ｇおよびハーフミラー２１ｅを透過させて対物レンズ２１ｆへと至らせる。そして、前眼部観察光学系２１では、当該反射光束を対物レンズ２１ｆで集束して、ＣＣＤカメラ２１ｉへと進行させる。すると、そのＣＣＤカメラ２１ｉ（その受光面）上には、装置本体部１３（眼圧測定部２０）と角膜ＥｃとのＸＹ方向の位置関係に応じた位置に輝点像が形成される。このＣＣＤカメラ２１ｉ（前眼部観察光学系２１）は、形成された輝点像の受光に基づく信号を制御部３３（図２参照）へと出力する。その制御部３３は、ＣＣＤカメラ２１ｉ（前眼部観察光学系２１）で取得した輝点像を、上述した前眼部像に重ねて表示部１４（図１参照）に適宜表示させる。これにより、表示部１４には、被検眼Ｅの前眼部像と、ＸＹアライメント指標光の輝点像と、が重ねて表示される。なお、その表示部１４には、図示を略す画像生成手段によって生成されたアライメント補助マークも重ねて表示される。
【００４２】
ＸＹアライメント指標投影光学系２２は、指標光を被検眼Ｅの角膜Ｅｃに正面から投影する。その指標光は、Ｘ−Ｙ平面に沿う方向（以下では、ＸＹ方向ともいう）で見た被検眼Ｅ（その前眼部（角膜Ｅｃ））の眼圧測定部２０に対する位置の調節、いわゆるＸＹ方向のアライメントを可能とする機能を有する。また、当該指標光は、被検眼Ｅの角膜Ｅｃの変形量（変形の度合（圧平））の検出を可能とする機能も有する。このＸＹアライメント指標投影光学系２２は、ＸＹアライメント用光源２２ａと集光レンズ２２ｂと開口絞り２２ｃとピンホール板２２ｄとダイクロイックミラー２２ｅと投影レンズ２２ｆとを有し、前眼部観察光学系２１とハーフミラー２１ｅを共用している。ＸＹアライメント用光源２２ａは、赤外光を出射する光源とされている。投影レンズ２２ｆは、ピンホール板２２ｄに焦点を一致させるように、ＸＹアライメント指標投影光学系２２の光路上に配置されている。このＸＹアライメント指標投影光学系２２では、ＸＹアライメント用光源２２ａから出射された赤外光が、集光レンズ２２ｂにより集束されつつ開口絞り２２ｃを通過して、ピンホール板２２ｄ（その穴部）へと進行する。ＸＹアライメント指標投影光学系２２では、ピンホール板２２ｄ（その穴部）を通過した光束を、ダイクロイックミラー２２ｅで反射して投影レンズ２２ｆへと進行させ、その進行した赤外光を投影レンズ２２ｆで平行光束として、ハーフミラー２１ｅへと進行させる。そして、ＸＹアライメント指標投影光学系２２では、ハーフミラー２１ｅで反射することで平行光束を前眼部観察光学系２１の光軸Ｏ１上に進行させる。その平行光束は、ハーフミラー２１ｇおよびチャンバー窓ガラス２１ｄを透過して、気流吹付ノズル２１ｂの内部へと進行し、当該気流吹付ノズル２１ｂの内部を通過することでＸＹアライメント指標光として被検眼Ｅに至る。そのＸＹアライメント指標光は、図示は略すが、角膜Ｅｃの角膜頂点Ｅｐと当該角膜Ｅｃの曲率中心との中間位置に輝点像を形成するようにして角膜Ｅｃの表面で反射される。なお、開口絞り２２ｃは、投影レンズ２２ｆに関して角膜Ｅｃの角膜頂点Ｅｐと共役な位置に設けられている。
【００４３】
固視標投影光学系２３は、被検眼Ｅに固視標を投影（提示）する。その固視標投影光学系２３は、固視標用光源２３ａとピンホール板２３ｂとを有し、ＸＹアライメント指標投影光学系２２とダイクロイックミラー２２ｅおよび投影レンズ２２ｆを共用するとともに前眼部観察光学系２１とハーフミラー２１ｅを共用している。その固視標用光源２３ａは、可視光を出射する光源とされている。この固視標投影光学系２３では、固視標用光源２３ａから出射した固視標光をピンホール板２３ｂ（その穴部）へと進行させ、そのピンホール板２３ｂ（その穴部）を通過しダイクロイックミラー２２ｅを透過させて、投影レンズ２２ｆへと進行させる。その固視標光（その光束）は、投影レンズ２２ｆにより略平行光とされてハーフミラー２１ｅへと進行し、そのハーフミラー２１ｅで反射されることで前眼部観察光学系２１の光軸Ｏ１上を進行する。その光束は、ハーフミラー２１ｇおよびチャンバー窓ガラス２１ｄを透過して、気流吹付ノズル２１ｂの内部へと進行し、当該気流吹付ノズル２１ｂの内部を通過して被検眼Ｅに至る。固視標投影光学系２３は、この被検眼Ｅに投影した固視標を、被検者に固視目標として注視させることにより、当該被検者の視線を固定する。
【００４４】
圧平検出光学系２４は、図３に示すように、ＸＹアライメント指標投影光学系２２により被検眼Ｅに投影されたＸＹアライメント指標光の角膜Ｅｃによる反射光を受光して、その角膜Ｅｃの表面の変形量（圧平）を検出する。この圧平検出光学系２４は、レンズ２４ａ、ピンホール板２４ｂおよびセンサ２４ｃと、前眼部観察光学系２１の光路上に設けられたハーフミラー２１ｇと、を有する。レンズ２４ａは、角膜Ｅｃの表面のみが平らとされた際に、ＸＹアライメント指標光の角膜Ｅｃによる反射光を、ピンホール板２４ｂの中央の穴に集光させる。そのピンホール板２４ｂは、レンズ２４ａによる上述した集光位置に、中央の穴を位置させて設けられている。センサ２４ｃは、光量検出の可能な受光センサであって、受光した光量に応じた信号を出力するものであり、本実施例ではフォトダイオードを用いる。このセンサ２４ｃ（圧平検出光学系２４）は、受光した光量に応じた信号を制御部３３に出力する。
【００４５】
上述したように、被検眼Ｅの角膜Ｅｃの表面（角膜表面）で反射されたＸＹアライメント指標光の反射光束は、気流吹付ノズル２１ｂの内部を通り、チャンバー窓ガラス２１ｄを透過してハーフミラー２１ｇに至る。圧平検出光学系２４では、その一部をハーフミラー２１ｇで反射してレンズ２４ａへと進行させ、そのレンズ２４ａで集束して、ピンホール板２４ｂへと進行させる。ここで、被検眼Ｅでは、後述する気流吹付機構３４（図１等参照）により気流吹付ノズル２１ｂから角膜Ｅｃに向けて気流を吹き付けられることで、角膜Ｅｃの表面が変形して徐々に平らな状態とされていく。そのとき、圧平検出光学系２４では、上述した設定により、角膜Ｅｃの表面が平らとされると進行してきた反射光束の全体をピンホール板２４ｂの穴に通してセンサ２４ｃへと到達させ、その他の状態ではピンホール板２４ｂで部分的に遮りつつセンサ２４ｃへと到達させる。このため、圧平検出光学系２４では、センサ２４ｃで受光した光量が最大となった時点を検出することにより、角膜Ｅｃの表面が平らとされたこと（圧平）を検知することができる。これにより、圧平検出光学系２４では、流体の吹き付けにより変形した角膜Ｅｃの表面の形状（圧平）を検出することができ、センサ２４ｃがその検出のために角膜Ｅｃからの反射光（反射光束）を受光する受光部として機能する。
【００４６】
Ｚアライメント指標投影光学系２５は、図２に示すように、被検眼Ｅの角膜Ｅｃに、斜めからＺ軸方向のアライメント指標光（アライメント用指標平行光束）を投影する。このＺアライメント指標投影光学系２５は、光軸Ｏ２上に、Ｚアライメント用光源２５ａと集光レンズ２５ｂと開口絞り２５ｃとピンホール板２５ｄと投影レンズ２５ｅとが設けられて構成されている。そのＺアライメント用光源２５ａは、赤外光（例えば波長８６０ｎｍ）を出射する光源とされている。開口絞り２５ｃは、投影レンズ２５ｅに関して角膜Ｅｃの角膜頂点Ｅｐと共役な位置に設けられている。その投影レンズ２５ｅは、ピンホール板２５ｄ（その穴部）に焦点を一致させて配置されている。Ｚアライメント指標投影光学系２５では、Ｚアライメント用光源２５ａから出射された赤外光（その光束）が、集光レンズ２５ｂにより集光されつつ開口絞り２５ｃを通過してピンホール板２５ｄへと進行する。このＺアライメント指標投影光学系２５では、ピンホール板２５ｄ（その穴部）を通過した光束を投影レンズ２５ｅへと進行させ、投影レンズ２５ｅで平行光として角膜Ｅｃへと進行させる。その赤外光（その光束（Ｚアライメント指標光））は、被検眼Ｅの内方に位置する輝点像を形成するようにして、角膜Ｅｃの表面で反射される。
【００４７】
Ｚアライメント検出光学系２６は、Ｚアライメント指標光の角膜Ｅｃによる反射光を、前眼部観察光学系２１の光軸Ｏ１に対して対称な方向から受光して、装置本体部１３（眼圧測定部２０）と角膜ＥｃとのＺ軸方向での位置関係を検出する。そのＺアライメント検出光学系２６は、光軸Ｏ３上に、結像レンズ２６ａとシリンドリカルレンズ２６ｂとセンサ２６ｃとが設けられて構成されている。シリンドリカルレンズ２６ｂは、Ｙ軸方向にパワーを持つものとされている。センサ２６ｃは、受光面における受光位置を検出可能な受光センサであり、ラインセンサやＰＳＤを用いて構成することができ、本実施例ではラインセンサを用いる。このセンサ２６ｃは、Ｚアライメント検出補正部３２に接続されている。
【００４８】
このＺアライメント検出光学系２６では、Ｚアライメント指標投影光学系２５によりアライメント指標光が投影されて角膜Ｅｃの表面で反射された反射光束が、結像レンズ２６ａへと進行される。Ｚアライメント検出光学系２６では、反射光束を結像レンズ２６ａで集束し、シリンドリカルレンズ２６ｂへと進行させ、そのシリンドリカルレンズ２６ｂでＹ軸方向に集光してセンサ２６ｃ上に輝点像を形成する。このセンサ２６ｃは、Ｘ−Ｚ平面内において、Ｚアライメント指標投影光学系２５により被検眼Ｅの内方に形成された上述した輝点像と結像レンズ２６ａに関して共役な位置関係にあり、Ｙ−Ｚ平面内において、角膜頂点Ｅｐと結像レンズ２６ａおよびシリンドリカルレンズ２６ｂに関して共役な位置関係にある。すなわち、センサ２６ｃは、開口絞り２５ｃと共役関係にあり（このときの倍率は開口絞り２５ｃの像がセンサ２６ｃの大きさより小さくなるように設定している）、Ｙ軸方向に角膜Ｅｃがずれたとしても当該角膜Ｅｃの表面における反射光束は効率良くセンサ２６ｃに入射する。このセンサ２６ｃ（Ｚアライメント検出光学系２６）は、形成された輝点像の受光に基づく信号を、Ｚアライメント検出補正部３２へと出力する。
【００４９】
気流吹付機構３４は、図３に示すように、空気圧縮室３４ａを有し、そこに空気圧縮駆動部３４ｄ（図１参照）が設けられて構成されている。その空気圧縮駆動部３４ｄは、空気圧縮室３４ａの内方で移動可能なピストンと、そのピストンを移動させる駆動部と、を有し、本実施例では、装置本体部１３において、眼圧測定部２０（その光学系）の上方に設けられている。空気圧縮駆動部３４ｄは、制御部３３（図２参照）の制御下で駆動されることで、空気圧縮室３４ａ内の空気を圧縮する。その空気圧縮室３４ａには、透明なガラス板３４ｂを介して気流吹付ノズル２１ｂが取り付けられているとともに、そこと対向してチャンバー窓ガラス２１ｄが設けられている。このため、空気圧縮室３４ａは、前眼部観察光学系２１における上述した機能を妨げることが防止されている。また、空気圧縮室３４ａには、当該空気圧縮室３４ａの圧力を検出する圧力センサ３４ｃが設けられている。この圧力センサ３４ｃは、図示は略すが制御部３３（図２参照）に接続されており、検出した圧力に応じた信号を制御部３３に出力する。この気流吹付機構３４では、制御部３３の制御下で、空気圧縮駆動部３４ｄが空気圧縮室３４ａ内の空気を圧縮することにより、気流吹付ノズル２１ｂから被検眼Ｅの角膜Ｅｃに向けて気流を吹き付けることができる。また、気流吹付機構３４では、圧力センサ３４ｃで空気圧縮室３４ａ内の圧力を検出することにより、気流吹付ノズル２１ｂから気流を吹き付けた際の圧力を取得することが可能とされている。なお、気流吹付機構３４では、圧力センサ３４ｃを設けることに替えて、吹き付ける気流において、時間に対する圧力の変化が予め定められた特性とするものとしてもよい。
【００５０】
この眼圧測定部２０は、前眼部照明光源２１ａとＸＹアライメント用光源２２ａと固視標用光源２３ａとＺアライメント用光源２５ａとの点灯制御を行うためのドライバ（駆動機構）を有し、当該ドライバに制御部３３（図２参照）が接続されている。このため、眼圧測定部２０では、制御部３３の制御下で、前眼部照明光源２１ａとＸＹアライメント用光源２２ａと固視標用光源２３ａとＺアライメント用光源２５ａとを適宜点灯させる。また、眼圧測定部２０では、上述したように、制御部３３の制御下で、合焦駆動機構２１Ｄを介してＣＣＤカメラ２１ｉを光軸Ｏ１上で適宜移動させ、かつＣＣＤカメラ２１ｉから出力された画像信号に基づく画像の生成処理を行い、かつその生成した画像を表示部１４に適宜表示させる。
【００５１】
次に、上述した眼圧測定部２０を用いて被検眼Ｅの角膜Ｅｃの眼圧（硬さ）を測定する際の概略的な動作について説明する。なお、眼圧測定部２０における下記の動作は、制御部３３（図２参照）の制御下で実行される。先ず、眼科装置１０の電源スイッチを投入し、表示部１４に眼圧測定部２０を用いて測定を行う旨の操作を行う。すると、眼圧測定部２０では、後述するように眼圧測定モード（図６（ａ）参照）とした後、前眼部照明光源２１ａとＸＹアライメント用光源２２ａと固視標用光源２３ａとＺアライメント用光源２５ａとを適宜点灯させる。このとき、眼圧測定部２０では、各光源２１ａ、２３ａ、２５ａをそれぞれ異なる周期で点滅を繰り返させるものとし、いずれの光源からの光であるかの識別を可能としてもよい。
【００５２】
眼圧測定部２０では、図３に示すように、固視標投影光学系２３の固視標用光源２３ａを点灯することで、固視標を被検眼Ｅに投影して、その被検眼Ｅを固視させるすなわち被検者の視線を固定する。また、眼圧測定部２０では、ＸＹアライメント指標投影光学系２２のＸＹアライメント用光源２２ａを点灯することで、平行光束を角膜Ｅｃに投影する。眼圧測定部２０では、その角膜Ｅｃで反射された反射光束を、前眼部観察光学系２１のＣＣＤカメラ２１ｉと、圧平検出光学系２４のセンサ２４ｃと、により受光する。さらに、眼圧測定部２０では、図２に示すように、Ｚアライメント指標投影光学系２５のＺアライメント用光源２５ａを点灯することで、Ｚ軸方向のアライメント用の平行光束を角膜Ｅｃに投影する。眼圧測定部２０では、その角膜Ｅｃで反射された反射光束を、Ｚアライメント検出光学系２６のセンサ２６ｃで受光する。
【００５３】
眼圧測定部２０では、前眼部観察光学系２１の前眼部照明光源２１ａを点灯することで、被検眼Ｅの前眼部を照明し、その被検眼Ｅの前眼部像をＣＣＤカメラ２１ｉ上に結像させる。そして、眼圧測定部２０では、明確な図示は略すが、表示部１４に被検眼Ｅの前眼部像とＸＹアライメント指標光の輝点像とアライメント補助マークとを表示させる。検者は、この表示部１４を見ながら当該表示部１４に表示された操作部を操作することにより、装置本体部１３を上下左右に移動させて輝点像が表示部１４の画面内に映るようにアライメントを行う。また、眼圧測定部２０では、Ｚアライメント検出補正部３２が、Ｚアライメント検出光学系２６のセンサ２６ｃの受光信号とＸＹアライメント検出部３１の演算結果とに基づいて、装置本体部１３と角膜ＥｃのＺ軸方向の位置関係を演算する。眼圧測定部２０では、制御部３３の制御下で、前眼部観察光学系２１から得られるＸＹ方向での位置およびＺアライメント検出補正部３２から出力される演算結果に基づいて、駆動部１２すなわちＹ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。
【００５４】
眼圧測定部２０では、オートアライメントが完了すると、制御部３３が気流吹付機構３４を作動させて、気流吹付ノズル２１ｂから被検眼Ｅの角膜Ｅｃに向けて気流を吹き付ける。すると、被検眼Ｅでは、角膜Ｅｃの表面が変形して徐々に平らな状態（圧平）とされていく。角膜Ｅｃが徐々に平らな状態（圧平）とされていく過程において、角膜Ｅｃの表面が平らと（圧平）されると圧平検出光学系２４のセンサ２４ｃでの受光量が最大となる。このため、眼圧測定部２０では、センサ２４ｃの受光量の変化に基づいて、角膜Ｅｃの表面が平らと（圧平）されたことを制御部３３が判断する。すなわち、圧平検出光学系２４（センサ２４ｃ）では、角膜Ｅｃの圧平を検出することができる。そして、眼圧測定部２０では、制御部３３が、圧力センサ３４ｃからの出力（吹き付けた気流の圧力）に基づいて、角膜Ｅｃの眼圧を求め（眼圧値を算出し）、その算出結果を表示部１４に表示させる。なお、制御部３３では、気流吹付ノズル２１ｂ（気流吹付機構３４）による気流の吹き付けを開始時点から角膜Ｅｃの表面が平らと（圧平）されたことを検知した時点までの時間に基づいて、角膜Ｅｃの眼圧を求める（眼圧値を算出する）ものであってもよい。
【００５５】
次に、図４を用いて、眼特性測定部４０の光学的な構成を説明する。その眼特性測定部４０は、被検眼Ｅの角膜Ｅｃの形状と被検眼Ｅの眼屈折力（球面度数、乱視度数、乱視軸角度等）とを測定するものである。眼特性測定部４０は、図４に示すように、固視標投影光学系４１と観察光学系４２と眼屈折力測定用リング状指標投影光学系４３と受光光学系４４とアライメント光投影系４５とを備える。その固視標投影光学系４１は、被検眼Ｅを固視・雲霧させるために、その被検眼Ｅの眼底Ｅｆ（図２、図３参照）に視標を投影する。観察光学系４２は、被検眼Ｅの前眼部（角膜Ｅｃ）を観察する。眼屈折力測定用リング状指標投影光学系４３は、被検眼Ｅの眼屈折力を測定するために、眼屈折力測定用リング状指標としてのパターン光束を、その被検眼Ｅの眼底Ｅｆに投影する。受光光学系４４は、被検眼Ｅの眼底Ｅｆから反射された眼屈折力測定用リング状指標像を後述する撮像素子４４ｄに受光させる。この眼屈折力測定用リング状指標投影光学系４３および受光光学系４４は、観察光学系４２および後述する角膜形状測定用リング状指標投影光源４６Ａ、４６Ｂ、４６Ｃと共に、角膜形状・眼屈折力測定光学系を構成する。アライメント光投影系４５は、Ｘ−Ｙ方向でのアライメント状態を検出するために、指標光を被検眼Ｅに向けて投影する。また、眼特性測定部４０の光学系には、図示は略すが、被検眼Ｅと装置本体部１３との間の作動距離を検出するための作動距離検出光学系が設けられている。
【００５６】
固視標投影光学系４１は、光軸Ｏ１１上に、固視標光源４１ａとコリメータレンズ４１ｂと指標板４１ｃとリレーレンズ４１ｄとミラー４１ｅとダイクロイックミラー４１ｆとダイクロイックミラー４１ｇと対物レンズ４１ｈとを有する。指標板４１ｃには、被検眼Ｅを固視・雲霧させるためのターゲットが設けられている。その固視標光源４１ａ、コリメータレンズ４１ｂおよび指標板４１ｃは、固視標ユニット４１Ｕを構成し、被検眼Ｅを固視・雲霧させるべく、固視標移動機構４１Ｄにより固視標投影光学系４１の光軸Ｏ１１に沿って一体に移動可能とされている。なお、ダイクロイックミラー４１ｇと対物レンズ４１ｈとは、それらが設けられた位置が、後述する眼特性測定部４０における主光軸Ｏ１０上とされている。
【００５７】
この固視標投影光学系４１では、固視標光源４１ａから可視光を出射し、その可視光をコリメータレンズ４１ｂにより平行光束とした後、指標板４１ｃを透過させてターゲット光束とする。そして、固視標投影光学系４１では、ターゲット光束を、リレーレンズ４１ｄを通した後にミラー４１ｅにより反射し、ダイクロイックミラー４１ｆを通過させてダイクロイックミラー４１ｇへと進行させる。固視標投影光学系４１では、そのターゲット光束をダイクロイックミラー４１ｇで眼特性測定部４０における主光軸Ｏ１０上へと反射して、対物レンズ４１ｈを経て被検眼Ｅへと進行させる。固視標投影光学系４１は、被検眼Ｅに投影したターゲット光束（固視標）を、被検者に固視目標として注視させることにより、当該被検者の視線を固定する。また、固視標投影光学系４１は、被検者に固視目標として注視させた状態から、ピントが合わない位置まで固視標ユニット４１Ｕを移動させることにより、被検眼Ｅを雲霧状態とする。
【００５８】
観察光学系４２は、図示を略す照明光源を有するとともに、主光軸Ｏ１０上に、ハーフミラー４２ａとリレーレンズ４２ｂと結像レンズ４２ｃと撮像素子４２ｄとを有し、固視標投影光学系４１と対物レンズ４１ｈおよびダイクロイックミラー４１ｇを共用する。撮像素子４２ｄは、二次元固体撮像素子であり、本実施例ではＣＭＯＳイメージセンサを用いている。
【００５９】
この観察光学系４２では、照明光源から出射した照明光束で被検眼Ｅの前眼部（角膜Ｅｃ）を照明して、その前眼部で反射された照明光束を対物レンズ４１ｈで取得する。観察光学系４２では、反射された照明光束を、対物レンズ４１ｈを経て、ダイクロイックミラー４１ｇおよびハーフミラー４２ａを通して、リレーレンズ４２ｂを経て結像レンズ４２ｃにより撮像素子４２ｄ（その受光面）上に結像させる。その撮像素子４２ｄは、取得した画像に基づく画像信号を制御部３３（図２参照）に出力する。その制御部３３は、入力された画像信号に基づいて、前眼部（角膜Ｅｃ）の画像を表示部１４に表示させる。このため、観察光学系４２では、撮像素子４２ｄ（その受光面）上に前眼部（角膜Ｅｃ）の像を形成することができ、表示部１４に当該前眼部の画像を表示させることができる。なお、アライメント完了後の屈折力測定時には、観察光学系４２の照明光源は消灯される。
【００６０】
眼屈折力測定用リング状指標投影光学系４３は、眼屈折力測定用光源４３ａとレンズ４３ｂと円錐プリズム４３ｃとリング指標板４３ｄとレンズ４３ｅとバンドパスフィルタ４３ｆと瞳リング４３ｇと穴空きプリズム４３ｈとロータリープリズム４３ｉとを有し、固視標投影光学系４１とダイクロイックミラー４１ｆ、ダイクロイックミラー４１ｇおよび対物レンズ４１ｈを共用する。その眼屈折力測定用光源４３ａと瞳リング４３ｇとは光学的に共役な位置に配置し、リング指標板４３ｄと被検眼Ｅの眼底Ｅｆとは光学的に共役な位置に配置している。また、眼屈折力測定用光源４３ａ、レンズ４３ｂ、円錐プリズム４３ｃおよびリング指標板４３ｄは、指標ユニット４３Ｕを構成し、この指標ユニット４３Ｕは、指標移動機構４３Ｄにより眼屈折力測定用リング状指標投影光学系４３の光軸Ｏ１３に沿って一体に移動可能とされている。
【００６１】
眼屈折力測定用リング状指標投影光学系４３では、眼屈折力測定用光源４３ａから出射した光束をレンズ４３ｂで平行光束とし、円錐プリズム４３ｃを経てリング指標板４３ｄへと進行させる。その光束は、リング指標板４３ｄに形成されたリング状のパターン部分を透過して眼屈折力測定用リング状指標としてのパターン光束とされる。この眼屈折力測定用リング状指標投影光学系４３では、そのパターン光束をレンズ４３ｅ、バンドパスフィルタ４３ｆおよび瞳リング４３ｇを経て穴空きプリズム４３ｈへと進行させ、その穴空きプリズム４３ｈの反射面により反射して、ロータリープリズム４３ｉを経てダイクロイックミラー４１ｆへと進行させる。そして、眼屈折力測定用リング状指標投影光学系４３では、パターン光束をダイクロイックミラー４１ｆで反射した後にダイクロイックミラー４１ｇで反射することで、眼特性測定部４０における主光軸Ｏ１０上に進行させる。そして、眼屈折力測定用リング状指標投影光学系４３では、パターン光束を、対物レンズ４１ｈにより被検眼Ｅの眼底Ｅｆ（図２、図３参照）に結像させる。
【００６２】
この眼屈折力測定用リング状指標投影光学系４３には、対物レンズ４１ｈの前方側に角膜形状測定用リング状指標投影光源４６Ａ、４６Ｂ、４６Ｃが設けられている。この角膜形状測定用リング状指標投影光源４６Ａ、４６Ｂ、４６Ｃは、リングパターン４７上において被検眼Ｅ（角膜Ｅｃ）から所定の距離とされて主光軸Ｏ１０に関して同心状に設けられており、被検眼Ｅ（角膜Ｅｃ）に角膜形状測定用リング状指標を投影する。その角膜形状測定用リング状指標は、被検眼Ｅの角膜Ｅｃに投影されることで、その角膜Ｅｃに角膜形状測定用リング状指標を形成する。その角膜形状測定用リング状指標（その光束）は、被検眼Ｅの角膜Ｅｃで反射されることで、上記した観察光学系４２により撮像素子４２ｄ上に結像される。このため、観察光学系４２では、表示部１４において、前眼部（角膜Ｅｃ）の画像に重ねて角膜形状測定用リング状指標の像（画像）を表示させることができる。
【００６３】
受光光学系４４は、穴空きプリズム４３ｈの穴部４４ａとミラー４４ｂとレンズ４４ｃと撮像素子４４ｄとを有し、固視標投影光学系４１と対物レンズ４１ｈ、ダイクロイックミラー４１ｇおよびダイクロイックミラー４１ｆを共用し、かつ眼屈折力測定用リング状指標投影光学系４３とロータリープリズム４３ｉを共用する。撮像素子４４ｄは、二次元固体撮像素子であり、本実施例ではＣＣＤ（電荷結合素子）イメージセンサを用いている。この撮像素子４４ｄは、眼屈折力測定用リング状指標投影光学系４３の指標移動機構４３Ｄにより、当該眼屈折力測定用リング状指標投影光学系４３の指標ユニット４３Ｕと連動して、受光光学系４４の光軸Ｏ１４に沿って移動可能とされている。
【００６４】
受光光学系４４では、眼屈折力測定用リング状指標投影光学系４３によって眼底Ｅｆ（図２、図３参照）に導かれ、かつ当該眼底Ｅｆで反射されたパターン反射光束を、対物レンズ４１ｈにより集光し、ダイクロイックミラー４１ｇで反射した後にダイクロイックミラー４１ｆで反射して、ロータリープリズム４３ｉへと進行させる。そして、受光光学系４４では、反射されたパターン反射光束を、ロータリープリズム４３ｉを経て穴空きプリズム４３ｈの穴部４４ａへと進行させて、この穴部４４ａを通過させる。受光光学系４４では、穴部４４ａを通過したパターン反射光束を、ミラー４４ｂによって反射し、レンズ４４ｃにより撮像素子４４ｄ（その受光面）上にパターン反射光束すなわち眼屈折力測定用リング状指標を結像させる。その撮像素子４４ｄは、取得した画像に基づく画像信号を制御部３３（図２参照）に出力する。その制御部３３は、入力された画像信号に基づいて、眼屈折力測定用リング状指標の画像を表示部１４（図１参照）に表示させる。このため、受光光学系４４では、撮像素子４４ｄ（その受光面）上に眼屈折力測定用リング状指標の像を形成することができ、表示部１４に当該眼屈折力測定用リング状指標の画像を表示させることができる。
【００６５】
アライメント光投影系４５は、ＬＥＤ４５ａとピンホール４５ｂとレンズ４５ｃとを有し、観察光学系４２とハーフミラー４２ａを共用し、固視標投影光学系４１とダイクロイックミラー４１ｇおよび対物レンズ４１ｈを共用する。このアライメント光投影系４５では、ＬＥＤ４５ａからの光束を、ピンホール４５ｂ（その穴部）を通してアライメント指標光束とし、レンズ４５ｃを経てハーフミラー４２ａで反射することで、眼特性測定部４０における主光軸Ｏ１０上に進行させる。そして、アライメント光投影系４５では、アライメント指標光束を、ダイクロイックミラー４１ｇを通して対物レンズ４１ｈへと進行させ、その対物レンズ４１ｈを経て被検眼Ｅの角膜Ｅｃに向けてアライメント指標光束として投影する。このアライメント光投影系４５は、被検眼Ｅの角膜Ｅｃに向けてアライメント指標光束を投影することにより、被検眼Ｅに対して装置本体部１３を自動的にアライメントする機能を有する。その被検眼Ｅに向けて平行光として投影されたアライメント指標光束は、その被検眼Ｅの角膜Ｅｃにおいて反射され、観察光学系４２により撮像素子４２ｄ上にアライメント指標像としての輝点像が投影される。この輝点像が、図示を略す光学系により形成されたアライメントマーク内に位置すると、アライメント完了となる。
【００６６】
この眼特性測定部４０は、固視標光源４１ａと観察光学系４２の照明光源と眼屈折力測定用光源４３ａとＬＥＤ４５ａと角膜形状測定用リング状指標投影光源４６Ａ、４６Ｂ、４６Ｃとの点灯制御を行うためのドライバ（駆動機構）を有し、当該ドライバに制御部３３（図２参照）が接続されている。このため、眼特性測定部４０では、制御部３３の制御下で、固視標光源４１ａと観察光学系４２の照明光源と眼屈折力測定用光源４３ａとＬＥＤ４５ａと角膜形状測定用リング状指標投影光源４６Ａ、４６Ｂ、４６Ｃとが適宜点灯される。また、眼特性測定部４０では、上述したように、制御部３３の制御下で、固視標移動機構４１Ｄを介して固視標ユニット４１Ｕを光軸Ｏ１１に沿って一体に移動させ、指標移動機構４３Ｄを介して指標ユニット４３Ｕを光軸Ｏ１３に沿って一体に移動させるとともに撮像素子４４ｄを光軸Ｏ１４に沿って移動させる。さらに、眼特性測定部４０では、上述したように、制御部３３の制御下で、撮像素子４２ｄおよび撮像素子４４ｄから出力された画像信号に基づく画像の生成処理を行うとともに、その生成した画像を表示部１４に適宜表示させる。
【００６７】
次に、上述した眼特性測定部４０を用いて被検眼Ｅの角膜Ｅｃの形状と被検眼Ｅの眼屈折力（球面度数、乱視度数、乱視軸角度等）とを測定する際の概略的な動作について説明する。なお、眼特性測定部４０における下記の動作は、制御部３３（図２参照）の制御下で実行される。先ず、眼科装置１０の電源スイッチを投入し、表示部１４に眼特性測定部４０を用いて測定を行う旨の操作を行う。すると、眼特性測定部４０では、後述するように眼特性測定モード（図６（ｂ）参照）とした後、観察光学系４２において、照明光源を点灯させて、表示部１４に前眼部（角膜Ｅｃ）の画像を表示させる。そして、検者は、表示部１４の画面内に被検眼Ｅの瞳孔が位置するように、表示部１４に表示された操作部を操作することにより、装置本体部１３を上下左右に移動させて被検眼Ｅに対する装置本体部１３の概略アライメントを行う。
【００６８】
すると、眼特性測定部４０では、観察光学系４２によりアライメント指標像としての輝点像を表示部１４に表示させる。この後、眼特性測定部４０では、アライメント光投影系４５、作動距離検出光学系（図示を略す）に基づくアライメント検出を開始する。すなわち、眼特性測定部４０では、アライメント指標像としての輝点像をアライメントマーク内に位置させるように、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。これにより、眼特性測定部４０では、装置本体部１３の被検眼Ｅの角膜Ｅｃの頂点に対する自動アライメントが完了する。
【００６９】
すると、眼特性測定部４０では、眼屈折力測定用リング状指標投影光学系４３の角膜形状測定用リング状指標投影光源４６Ａ、４６Ｂ、４６Ｃを点灯して、角膜形状測定用リング状指標を角膜Ｅｃに投影する。そして、制御部３３では、表示部１４に表示させた画像（撮像素子４２ｄからの画像信号）に基づいて、角膜Ｅｃに投影された角膜形状測定用リング状指標の像から角膜Ｅｃの形状を測定する。この角膜Ｅｃの形状の測定の詳細については、公知であるのでその説明は省略する。制御部３３は、眼屈折力としての球面度数、円柱度数、軸角度を周知の手法により測定することができる。なお、この眼屈折力測定部の構成は、特開２００２−２５３５０６号公報に開示のものと同一であるが、この構成に限られるものではない。このように、制御部３３は、角膜形状の測定を実行すると共に、眼屈折力（光学特性）の測定を実行する。なお、制御部３３は、演算結果等を記憶部（図示を略す）に適宜格納する。
【００７０】
次に、本発明に係る本実施例の眼科装置１０の特徴的な構成について、図５から図１０を用いて説明する。この眼科装置１０では、以下の大きな３つの特徴を備える。その１つ目の大きな特徴は、眼圧測定部２０と眼特性測定部４０とにおいて、少なくとも一方の光学系の一部を他方の光学系に交差させた配置としていることである（図５等参照）。２つ目の大きな特徴は、眼圧測定部２０と眼特性測定部４０とを一体的な構成としていることである（図５等参照）。３つ目の大きな特徴は、眼圧測定部２０と眼特性測定部４０とを、単一の取付基盤４９の表面と裏面とに取り付けて構成していることである（図８参照）。なお、図５、図６および図８では、理解容易のために、眼圧測定部２０と眼特性測定部４０との光学系において、下記の説明に必要な光学部材のみを選択して記載し、他の光学部材を省略して示している。
【００７１】
先ず、１つ目の大きな特徴である、眼圧測定部２０と眼特性測定部４０とにおいて、少なくとも一方の光学系の一部を他方の光学系に交差させた配置とすることについて説明する。このような配置とするのは、以下のことによる。眼圧測定部２０と眼特性測定部４０とでは、それぞれの光学系において、光学的な設計により各光学部材の間に間隔を設ける必要が生じる。このため、眼科装置１０では、一方の光学系の一部を他方の光学系に交差させる構成とすることで、当該間隔を有効的に利用する。この眼科装置１０では、当該間隔を有効的に利用することにより、眼圧測定部２０と眼特性測定部４０との双方を設置するための空間、すなわち眼圧測定部２０と眼特性測定部４０とを合わせた全体としての占有空間を低減している。ここで、互いの光学系を交差させる際、それぞれの光学的な作用を阻害することを防止する必要がある。
【００７２】
眼科装置１０は、本実施例では、図５に示すように、装置本体部１３において、基本的に、眼特性測定部４０の上方に眼圧測定部２０を設けている。そして、眼科装置１０では、眼圧測定部２０（その光学系）において、圧平検出光学系２４のレンズ２４ａからピンホール板２４ｂおよびセンサ２４ｃへと至る光路を下方へ向けて屈曲する構成として、眼特性測定部４０（その光学系）の主光軸Ｏ１０（その光路）に交差箇所Ｃで交差させて配置している。その交差箇所Ｃは、眼特性測定部４０において、主光軸Ｏ１０上のダイクロイックミラー４１ｇと対物レンズ４１ｈとの間であって、ダイクロイックミラー４１ｆとロータリープリズム４３ｉとの互いの軸線を結ぶ位置よりも対物レンズ４１ｈ側（図４の符号Ｃ参照）としている。そして、眼科装置１０では、レンズ２４ａを眼特性測定部４０の光学系におけるダイクロイックミラー４１ｇと対物レンズ４１ｈとの間の光路よりも上方（Ｙ軸方向正側）に位置させるとともに、ピンホール板２４ｂを当該光路よりも下方（Ｙ軸方向負側）に位置させている。このため、眼科装置１０では、眼圧測定部２０（その光学系）において、圧平検出光学系２４のレンズ２４ａからピンホール板２４ｂおよびセンサ２４ｃに至る光路上に、眼特性測定部４０（その光学系）を構成する光学部材が存在することはない。また、眼科装置１０では、眼特性測定部４０（その光学系）において、主光軸Ｏ１０上のダイクロイックミラー４１ｇから対物レンズ４１ｈに至る光路上、およびそこに近接するダイクロイックミラー４１ｆからロータリープリズム４３ｉに至る光路上に、眼圧測定部２０（その光学系）を構成する光学部材が存在することはない。このように、本実施例の眼科装置１０では、装置本体部１３において、眼圧測定部２０の光学系の一部を、眼特性測定部４０の光学系に交差させて配置している。
【００７３】
これにより、眼科装置１０では、眼圧測定部２０の光学系の一部を、当該光学系の他部が配置されている箇所よりも下方に配置することができるので、装置本体部１３の上部において、眼圧測定部２０の配置に利用する空間の大きさを低減することができる。また、眼科装置１０では、眼圧測定部２０の光学系の一部を、単に下方へと屈曲するのではなく、眼特性測定部４０の光学系に交差させて配置することから、眼特性測定部４０の配置に利用する空間の大きさの増大を招くことを防止することができる。このため、眼科装置１０では、実質的に眼圧測定部２０において下方へと屈曲させた光路が存在する空間分だけ大きさ寸法（容積）を低減することができる。これにより、眼科装置１０では、眼圧測定部２０と眼特性測定部４０とを配置するために利用する空間を低減することができ、装置本体部１３の大きさ寸法を低減することができる。なお、この１つ目の大きな特徴は、このような効果を得ることができるので、他の２つの大きな特徴を具備することなく単独で具備するものであっても良く、本実施例の構成に限定されるものではない。
【００７４】
次に、２つ目の大きな特徴である、眼圧測定部２０と眼特性測定部４０とを一体的な構成としていることについて説明する。このような構成とするのは、以下のことによる。複合型の眼科装置１０では、装置本体部１３に少なくとも２つの測定部（本実施例では、眼圧測定部２０および眼特性測定部４０）を設けるとともに、一方の測定部を被検眼Ｅに対応する位置に移動させることと、他方の測定部も被検眼Ｅに対応する位置に移動させることと、を可能な構成とする必要がある。これは、診察室や検査室の限られたスペースを有効利用することを可能とするとともに、被検者および検者の移動をなくすことで検査作業の時間と手間とを低減することを可能とすることによる。このため、従来の複合型の眼科装置では、２つの測定部をそれぞれ個別に分離して構成するとともに、それらの位置関係を変更可能な構成とすることにより、一方の測定部を被検眼Ｅに対応する位置に移動させるとともに、他方の測定部も被検眼Ｅに対応する位置に移動させることを可能な構成としている。しかしながら、２つの測定部をそれぞれ個別に分離して構成し、それらの位置関係を変更可能な構成とすることは、一方の測定部を移動可能とするための第１移動機構と、他方の測定部を移動可能とするための第２移動機構と、を設ける必要がある。もしくは、個別に分離して構成した２つの測定部を一体的に移動可能とする合同移動機構と、その一体的な移動に伴って２つの測定部の位置関係を変更させる位置変更機構と、を設ける必要がある。いずれの構成であっても、眼科装置（その装置本体部）の大きさ寸法の増大を招いてしまう。
【００７５】
このため、眼科装置１０では、装置本体部１３において、眼圧測定部２０と眼特性測定部４０とを一体的な構成として、位置関係を変更させる必要をなくすものとしている。これにより、眼科装置１０では、眼圧測定部２０と眼特性測定部４０とを個別に支持する構成を設ける必要がなくなるとともに、眼圧測定部２０と眼特性測定部４０との位置関係を変更するための機構を設ける必要がなくなるので、装置本体部１３の大きさ寸法を低減することができる。ここで、この眼科装置１０では、一体的な構成とした眼圧測定部２０および眼特性測定部４０すなわち装置本体部１３を移動させることにより、眼圧測定部２０と眼特性測定部４０とのそれぞれを被検眼Ｅに対応する位置に移動させる必要がある。このことは、一見すると装置本体部１３の移動範囲の増大を招くことで眼科装置１０全体の大きさ寸法の増大を招くように思われる。しかしながら、眼科装置１０では、眼圧測定部２０と眼特性測定部４０とを個別に支持する構成を設ける必要がなくなるともに、それらの位置関係を変更させる機構を設ける必要がなくなることから、装置本体部１３の大きさ寸法を大幅に低減することができるので、全体としての大きさ寸法の低減が可能となる。なお、この２つ目の大きな特徴は、このような効果を得ることができるので、他の２つの大きな特徴を具備することなく単独で具備するものであっても良く、本実施例の構成に限定されるものではない。
【００７６】
眼科装置１０は、本実施例では、装置本体部１３において、基本的に眼特性測定部４０の上方に眼圧測定部２０を設けるとともに、その眼圧測定部２０と眼特性測定部４０とを互いに固定して設けている。そして、眼科装置１０では、駆動部１２（Ｙ軸駆動部分１２ａ、Ｚ軸駆動部分１２ｂおよびＸ軸駆動部分１２ｃ）により、装置本体部１３をベース１１に対して移動することで、眼圧測定部２０と眼特性測定部４０とのそれぞれを顎受部１５と額当部１６とにより固定された被検眼Ｅ（被検者の顔）に対応する位置へと移動することを可能としている（図６参照）。
【００７７】
すなわち、眼科装置１０では、装置本体部１３をベース１１に対して、駆動部１２のＹ軸駆動部分１２ａにより上下方向（Ｙ軸方向）へと移動させることで、眼圧測定部２０の前眼部観察光学系２１の光軸Ｏ１の延長線上に被検眼Ｅを位置させて眼圧測定部２０を当該被検眼Ｅの高さ位置に対応させることができる（図６（ａ）参照）。そして、眼科装置１０では、図６（ａ）に示すように、駆動部１２のＺ軸駆動部分１２ｂにより前後方向（Ｚ軸方向）へと移動させることで、眼圧測定部２０の前眼部観察光学系２１の気流吹付ノズル２１ｂの先端を被検眼Ｅ（その角膜頂点Ｅｐ）から所定の距離（間隔ｄ１）に位置するものとする。その間隔ｄ１は、本実施例では、１１ｍｍとしている。この状態が、眼圧測定部２０による測定モードすなわち眼圧測定モードとなる。
【００７８】
また、眼科装置１０では、装置本体部１３をベース１１に対して、駆動部１２のＹ軸駆動部分１２ａにより上下方向（Ｙ軸方向）へと移動させることで、眼特性測定部４０の主光軸Ｏ１０の延長線上に被検眼Ｅを位置させて眼特性測定部４０を当該被検眼Ｅの高さ位置に対応させることができる（図６（ｂ）参照）。そして、眼科装置１０では、図６（ｂ）に示すように、駆動部１２のＺ軸駆動部分１２ｂにより前後方向（Ｚ軸方向）へと移動させることで、眼特性測定部４０の前端（本実施例ではリングパターン４７）を被検眼Ｅから所定の距離（間隔ｄ２）に位置するものとする。なお、この眼特性測定部４０の前端とは、当該眼特性測定部４０において最も被検者に近付く構造物のことを言い、本実施例ではリングパターン４７となる。その間隔ｄ２は、本実施例では、約８０ｍｍとしている。この状態が、眼特性測定部４０による測定モードすなわち眼特性測定モードとなる。
【００７９】
これに伴って、眼科装置１０は、本実施例では、眼圧測定部２０の前端（気流吹付ノズル２１ｂ）を、眼特性測定部４０の前端（リングパターン４７）よりもＺ軸方向正側（被検者側）に変位させている。これは、以下のことによる。眼科装置１０では、上記した構成により、眼圧測定モードとすると、図６（ａ）に示すように、被検者の鼻や口の前に眼特性測定部４０の前端となるリングパターン４７が位置する。また、眼科装置１０では、眼圧測定部２０と眼特性測定部４０とを一体的な構成として、位置関係を変更しないものとしている。このため、眼科装置１０では、例えば、Ｚ軸方向（前後方向）で見て、眼圧測定部２０の前端と眼特性測定部４０の前端とを等しい位置とすると、眼圧測定モードにおいて、リングパターン４７が被検者の鼻や口に接触したり、接触しなくてもリングパターン４７が被検者に窮屈な感覚を与えたりしてしまう。このことを鑑みて、眼科装置１０では、眼圧測定部２０の前端（気流吹付ノズル２１ｂ）を眼特性測定部４０の前端（リングパターン４７）よりもＺ軸方向正側に変位させることで、眼圧測定モード時に、被検者の鼻や口の前に空間を確保している。
【００８０】
これに伴って、眼科装置１０は、本実施例では、眼特性測定部４０において、測定を実行する際の被検眼Ｅ（その角膜頂点Ｅｐ）から眼特性測定部４０の前端（本実施例ではリングパターン４７）までの基準間隔を、７５ｍｍ以上の間隔ｄ２（本実施例では、約８０ｍｍ）としている。これは、以下のことによる。先ず、基準間隔とは、眼特性測定部４０により測定を実行する際に、被検眼Ｅ（その状態）に応じてＺ軸方向へと移動されるときの基準となる位置である。このため、眼特性測定部４０では、当該基準間隔からＺ軸方向の正側および負側へと移動するための移動幅が設定されており、本実施例ではその移動幅が±２０ｍｍとされている。また、眼科装置１０では、上述したように、眼圧測定部２０の前端（気流吹付ノズル２１ｂ）を眼特性測定部４０の前端（リングパターン４７）よりもＺ軸方向正側に変位させている。これにより、眼科装置１０では、眼特性測定モードとすると、図６（ｂ）に示すように、顎受部１５とともに被検者の顔を固定する額当部１６と対向して、眼圧測定部２０の前端となる気流吹付ノズル２１ｂが位置する。このため、眼科装置１０では、眼特性測定部４０における被検眼Ｅ（その角膜頂点Ｅｐ）から眼特性測定部４０の前端（リングパターン４７）までの基準間隔を小さなものとすると、上記した移動幅でＺ軸方向正側（被検者側）へと移動させた際に、眼圧測定部２０の前端（気流吹付ノズル２１ｂ）を顎受部１５に干渉させてしまう虞がある。換言すると、眼科装置１０では、眼特性測定部４０を基準間隔から上記した移動幅でＺ軸方向正側（被検者側）へと移動させることを可能とするためには、眼特性測定部４０における被検眼Ｅ（その角膜頂点Ｅｐ）から眼特性測定部４０の前端（リングパターン４７）までの基準間隔を大きくする必要がある。このことから、眼科装置１０では、眼特性測定部４０において、測定を実行する際の被検眼Ｅ（その角膜頂点Ｅｐ）から眼特性測定部４０の前端（リングパターン４７）までの基準間隔（間隔ｄ２）を７５ｍｍ以上に設定しており、本実施例ではその基準間隔（間隔ｄ２）を約８０ｍｍとしている。なお、このような基準間隔の設定は、眼特性測定部４０における各光学部材の光学特性の設定を調整することにより行うことができる。このため、眼科装置１０では、眼圧測定部２０の前端（気流吹付ノズル２１ｂ）を眼特性測定部４０の前端（リングパターン４７）よりもＺ軸方向正側に変位させていても、眼特性測定モードとした際に眼圧測定部２０の前端（気流吹付ノズル２１ｂ）が顎受部１５と干渉することを確実に防止する。
【００８１】
これに加えて、眼科装置１０では、図７（ａ）に示すように、所定の高さ位置ＨＬに到達したことを検出する高さ位置検出部４８を装置本体部１３に設けている。その高さ位置ＨＬは、眼圧測定部２０の気流吹付ノズル２１ｂが額当部１６と干渉することを防止する観点から設定している。なお、図７（ａ）に示す例では、高さ位置ＨＬは、気流吹付ノズル２１ｂと額当部１６との間隔を十分な大きさとするものとしているが、その間隔は適宜設定すればよく、この実施例に限定されるものではない。高さ位置検出部４８は、装置本体部１３が高さ位置ＨＬに到達すると、その旨を示す信号を制御部３３（図２参照）へと出力する。その制御部３３では、高さ位置検出部４８からの当該信号を取得すると、眼圧測定モードである場合、あるいは眼圧測定部２０が所定の前後位置よりもＺ軸方向正側（被検者側）に存在している場合、装置本体部１３を上方へと移動させることを止める。その所定の前後位置は、Ｚ軸方向で見て、気流吹付ノズル２１ｂが額当部１６に干渉することを防止する観点から設定する。
【００８２】
そして、制御部３３では、高さ位置検出部４８からの上記した信号を取得すると、装置本体部１３の上方への移動を止めるとともに、装置本体部１３を上方（Ｙ軸方向正側）へと移動させた状況に応じた制御を実行する。その状況に応じた制御とは、例えば、表示部１４で為された操作に基づいて装置本体部１３を上方へと移動させている場合には、表示部１４にこれ以上の上方への移動が出来ない旨を表示することがあげられる。また、状況に応じた制御とは、例えば、眼圧測定部２０から眼特性測定部４０へと切り替えのための移動を行っている場合には、装置本体部１３を前後方向の後方（Ｚ軸方向負側）へと後退（移動）させた後に装置本体部１３を上方へと移動させることがあげられる。さらに、制御部３３では、眼圧測定部２０における自動アライメントを行っている場合に、高さ位置検出部４８から当該信号を取得すると、被検眼Ｅの検出を遣り直す。これは、眼圧測定部２０における自動アライメントを行っている際に、装置本体部１３を高さ位置ＨＬへと到達させてしまったことは、アライメントの基準とする被検眼Ｅの検出に失敗したことを意味することによる。
【００８３】
また、制御部３３は、眼科装置１０の電源スイッチが投入されると、装置本体部１３の移動を実行する前に、高さ位置検出部４８から上記した信号が出力されているか否かを判断する。そして、制御部３３は、高さ位置検出部４８から上記した信号が出力されていない場合、適宜装置本体部１３の移動を実行する。また、制御部３３は、高さ位置検出部４８から上記した信号が出力されている場合、装置本体部１３の上方への移動は行わず、状況に応じた制御を実行する。その状況に応じた制御とは、例えば、表示部１４で装置本体部１３を上方へと移動させる操作が為された場合、表示部１４にこれ以上の上方への移動が出来ない旨を表示することがあげられる。また、状況に応じた制御とは、例えば、眼圧測定部２０から眼特性測定部４０へと切り替えのための移動を行う場合には、装置本体部１３を前後方向の後方（Ｚ軸方向負側）へと後退（移動）させた後に装置本体部１３を上方へと移動させることがあげられる。これにより、眼科装置１０では、例えば、眼圧測定部２０から眼特性測定部４０へと切り替え動作を行っていて、高さ位置検出部４８が上記した信号を出力した状態で、電源スイッチが切られた場合であっても、再び電源スイッチが投入された際に、気流吹付ノズル２１ｂが額当部１６に干渉することを確実に防止しつつ装置本体部１３の移動を行うことができる。なお、高さ位置検出部４８は、図７（ａ）に示す例では、装置本体部１３に設けていたが、実際に装置本体部１３の高さ方向すなわちＹ軸方向での位置を制御する駆動部１２のＹ軸駆動部分１２ａに設けるものであってもよく、他の場所に設けるものであってもよく、本実施例に限定されるものではない。
【００８４】
さらに、眼科装置１０では、図７（ｂ）に示すように、所定の前方位置ＦＬに到達したことを検出する前方位置検出部５４を装置本体部１３に設けている。その前方位置ＦＬは、眼特性測定モードである場合に、眼圧測定部２０の気流吹付ノズル２１ｂが額当部１６と干渉することを防止する観点から設定している。なお、図７（ｂ）に示す例では、前方位置ＦＬは、気流吹付ノズル２１ｂと額当部１６との間隔を十分な大きさとするものとしているが、その間隔は適宜設定すればよく、この実施例に限定されるものではない。前方位置検出部５４は、装置本体部１３が前方位置ＦＬに到達すると、その旨を示す信号を制御部３３（図２参照）へと出力する。その制御部３３では、特性測定モードである場合に前方位置検出部５４からの当該信号を取得すると、装置本体部１３を前方（Ｚ軸方向正側（被検者側））へと移動させることを止める。
【００８５】
そして、制御部３３では、特性測定モードである場合に前方位置検出部５４からの上記した信号を取得すると、装置本体部１３の前方への移動を止めるとともに、装置本体部１３を前方へと移動させた状況に応じた制御を実行する。その状況に応じた制御とは、例えば、表示部１４で為された操作に基づいて装置本体部１３を前方へと移動させている場合には、表示部１４にこれ以上の前方への移動が出来ない旨を表示することがあげられる。また、制御部３３は、眼科装置１０の電源スイッチが投入されると、装置本体部１３の移動を実行する前に、前方位置検出部５４から上記した信号が出力されているか否かを判断する。そして、制御部３３は、前方位置検出部５４から上記した信号が出力されていない場合、適宜装置本体部１３の移動を実行する。また、制御部３３は、前方位置検出部５４から上記した信号が出力されている場合、装置本体部１３の前方への移動は行わず、状況に応じた制御を実行する。その状況に応じた制御とは、例えば、表示部１４で装置本体部１３を前方へと移動させる操作が為された場合、表示部１４にこれ以上の前方への移動が出来ない旨を表示することがあげられる。なお、前方位置検出部５４は、図７（ｂ）に示す例では、装置本体部１３に設けていたが、実際に装置本体部１３の前後方向すなわちＺ軸方向での位置を制御する駆動部１２のＺ軸駆動部分１２ｂに設けるものであってもよく、他の場所に設けるものであってもよく、本実施例に限定されるものではない。
【００８６】
次に、３つ目の大きな特徴である、眼圧測定部２０と眼特性測定部４０とを単一の取付基盤４９（図８参照）の表面と裏面とに取り付けて構成していることについて説明する。このような構成とするのは、以下のことによる。複合型の眼科装置１０では、装置本体部１３に少なくとも２つの測定部（本実施例では、眼圧測定部２０および眼特性測定部４０）を設ける必要がある。このため、従来の複合型の眼科装置では、２つの測定部をそれぞれ個別に分離して構成している。しかしながら、２つの測定部をそれぞれ個別に分離して構成することは、装置本体部延いては眼科装置の大きさ寸法の増大を招いてしまう。
【００８７】
このため、眼科装置１０では、装置本体部１３において、眼圧測定部２０と眼特性測定部４０とを単一の取付基盤４９（図８参照）の表面と裏面とに取り付けている。換言すると、眼科装置１０では、眼圧測定部２０と眼特性測定部４０とを取付基盤４９の両面に実装して構成している（図８参照）。その取付基盤４９は、装置本体部１３に固定されている。取付基盤４９では、図８に示すように、基本的に、上面に眼圧測定部２０（その光学系）が取り付けられるとともに、下面に眼特性測定部４０（その光学系）が取り付けられている。ここで、取付基盤４９への眼圧測定部２０および眼特性測定部４０の取り付けにおいて基本的にと言ったのは、本実施例では、１つめの大きな特徴も具備するものとしていること、すなわち眼圧測定部２０と眼特性測定部４０とにおいて一方の光学系の一部を他方の光学系に交差させることで、眼圧測定部２０と眼特性測定部４０との一部を入り組ませて一体的な構成としていることによる。
【００８８】
すなわち、取付基盤４９の上面には、支持部材を介して、眼圧測定部２０の光学系を構成する各光学部材（図示の例では、チャンバー窓ガラス２１ｄ、ハーフミラー２１ｇおよび対物レンズ２１ｆ）が取り付けられている。また、取付基盤４９の下面には、支持部材を介して、眼特性測定部４０の光学系を構成する各光学部材（図示の例では、リングパターン４７、対物レンズ４１ｈ、ダイクロイックミラー４１ｇ、リレーレンズ４２ｂ、結像レンズ４２ｃおよび撮像素子４２ｄ）が取り付けられている。さらに、取付基盤４９の下面には、支持部材を介して、眼圧測定部２０において、眼特性測定部４０（その光学系）の主光軸Ｏ１０に交差箇所Ｃで交差させて配置する光学系であるピンホール板２４ｂおよびセンサ２４ｃが取り付けられている。そして、その眼圧測定部２０において、眼特性測定部４０（その光学系）の主光軸Ｏ１０に交差箇所Ｃで交差させて配置する光学系であるレンズ２４ａは、本実施例では、支持部材を介して、取付基盤４９に設けた貫通孔４９ａに設けている。その取付基盤４９は、駆動部１２において最も上方に位置されたＸ軸駆動部分１２ｃのＸ軸移動台１２ｉ（図１参照）に、支持脚部１２ｊにより固定されている。このため、取付基盤４９すなわちそこに取り付けた眼圧測定部２０および眼特性測定部４０（装置本体部１３）は、駆動部１２すなわちＹ軸駆動部分１２ａとＺ軸駆動部分１２ｂとＸ軸駆動部分１２ｃにより、ベース１１に対して上下方向（Ｙ軸方向）、前後方向（Ｚ軸方向）、および左右方向（Ｘ軸方向）に適宜移動される。
【００８９】
このように、眼科装置１０では、眼圧測定部２０と眼特性測定部４０とを単一の取付基盤４９（図８参照）の表面と裏面とに取り付けているので、簡易な構成としつつ眼圧測定部２０と眼特性測定部４０とを一体的な構成とすることができる。また、眼科装置１０では、取付基盤４９を駆動部１２により移動可能に支持することで、眼圧測定部２０と眼特性測定部４０との双方を一体的に移動させることができるので、双方の測定モードの切り替えを容易なものとすることができる。さらに、眼科装置１０では、眼圧測定部２０と眼特性測定部４０とを単一の取付基盤４９（図８参照）の表面と裏面とに取り付けていることから、眼圧測定部２０の光軸Ｏ１と眼特性測定部４０の主光軸Ｏ１０との間隔を小さなものとすることができる。なお、この３つ目の大きな特徴は、このような効果を得ることができるので、他の２つの大きな特徴を具備することなく単独で具備するものであっても良く、本実施例の構成に限定されるものではない。
【００９０】
これに加えて、眼科装置１０では、図９に示すように、保護部材５１を着脱自在に設けることが可能とされている。この保護部材５１は、顎受部１５とともに被検者の顔を固定する額当部１６を支持する支持箇所１６ａに取り付けることにより、顔を固定した被検者の髪の毛が眼圧測定部２０の前眼部観察光学系２１の前眼部窓ガラス２１ｃに触れることを防止する。これは、前眼部窓ガラス２１ｃに被検者の髪の毛が触れると、その髪の毛に付着した油分や汚れ等が前眼部窓ガラス２１ｃに付着する虞があることによる。その前眼部窓ガラス２１ｃは、上述したように、前眼部観察光学系２１において被検眼Ｅの前眼部像（その光束）を通す役割を有するものであることから、油分や汚れ等が付着すると、前眼部観察光学系２１（そのＣＣＤカメラ２１ｉ）による前眼部像の取得を妨げとなってしまう。眼科装置１０では、このような事態を防止すべく、その前段階である髪の毛が前眼部窓ガラス２１ｃに触れることを防止するために、保護部材５１を設けるものとしている。その保護部材５１は、本実施例では、保護本体部５１ａに２つの取付部５１ｂが設けられて構成されている。その保護本体部５１ａは、長尺な板状を呈し、被検者の髪の毛を受ける箇所を構成する。２つの取付部５１ｂは、保護本体部５１ａの両端の下部に設けられており、額当部１６を支持する支持箇所１６ａを前後方向で挟んで支持することにより、保護部材５１（保護本体部５１ａ）を当該支持箇所１６ａに取り付けることが可能とされている。また、両取付部５１ｂは、上記した構成であることから、支持箇所１６ａに取り付けることと、支持箇所１６ａから取り外すことと、が容易とされている。この保護部材５１は、両取付部５１ｂを介して支持箇所１６ａに取り付けると、額当部１６に額を宛がった被検者の髪の毛を保護本体部５１ａで受けることにより、当該髪の毛が保護本体部５１ａよりも前方に伸びて存在することを防止することができる。これにより、保護部材５１は、顔を固定した被検者の髪の毛が眼圧測定部２０の前眼部観察光学系２１の前眼部窓ガラス２１ｃに触れることを防止することができる。なお、保護部材５１は、保護本体部５１ａに２つの取付部５１ｂが設けられて構成されていたが、着脱自在に設けることを可能とするものであって、顔を固定した被検者の髪の毛が眼圧測定部２０の前眼部観察光学系２１の前眼部窓ガラス２１ｃに触れることを防止することができるものであれば、他の構成であってもよく、本実施例の構成に限定されるものではない。
【００９１】
この眼科装置１０では、一般的に、眼特性測定部４０により被検眼Ｅの角膜Ｅｃの形状と被検眼Ｅの眼屈折力（球面度数、乱視度数、乱視軸角度等）とを測定した後に、眼圧測定部２０により被検眼Ｅの眼圧を測定する。眼科装置１０では、上述したように、表示部１４に為された操作に基づいて、制御部３３（図２参照）が各部の動作を制御する。
【００９２】
眼科装置１０では、電源スイッチが投入されると、図１０に示すように、表示部１４に、眼圧測定モードとする切替アイコン５２と、眼特性測定モードとする切替アイコン５３と、を表示する。この切替アイコン５２は、一見して眼圧測定モードを選択するものであることの認識が可能とされている。また、切替アイコン５３は、一見して眼特性測定モードを選択するものであることの認識が可能とされている。なお、この表示部１４では、眼圧測定モードと眼特性測定モードとの選択および切り替えを可能とするものであれば、切替アイコン５２と切替アイコン５３とを表示することに替えて単一の切替アイコンを表示されるものであってもよく、他の形式としたアイコンを表示させるものであってもよく、本実施例の構成に限定されるものではない。また、切替アイコン５２、５３のデザインや表示位置は適宜設定すればよく、本実施例に限定されるものではない。そして、上述したように、先に眼特性測定部４０により被検眼Ｅの角膜Ｅｃの形状と被検眼Ｅの眼屈折力（球面度数、乱視度数、乱視軸角度等）とを測定すべく、表示部１４の切替アイコン５３に触れられた（選択された）ものとする。
【００９３】
すると、眼科装置１０では、駆動部１２のＹ軸駆動部分１２ａとＺ軸駆動部分１２ｂとＸ軸駆動部分１２ｃとを適宜駆動して、眼特性測定モードとする（図６（ｂ）参照）。すなわち、眼科装置１０では、図６（ｂ）に示すように、眼特性測定部４０の主光軸Ｏ１０の延長線上に被検眼Ｅを位置させるとともに、眼特性測定部４０の固視標投影光学系４１の対物レンズ４１ｈを被検眼Ｅから所定の距離（間隔ｄ２）に位置するものとして、眼特性測定部４０を被検眼Ｅに対応させる。そして、眼科装置１０では、眼特性測定部４０の上述した動作により、被検眼Ｅの角膜Ｅｃの形状と被検眼Ｅの眼屈折力（球面度数、乱視度数、乱視軸角度等）とを測定する。その後、被検眼Ｅの眼圧を測定すべく、表示部１４の切替アイコン５２に触れられた（選択された）ものとする。
【００９４】
すると、眼科装置１０では、駆動部１２のＹ軸駆動部分１２ａとＺ軸駆動部分１２ｂとＸ軸駆動部分１２ｃとを適宜駆動して、眼圧測定モードとする（図６（ａ）参照）。ここで、眼科装置１０では、先ず装置本体部１３をＹ軸方向負側へと移動して、眼圧測定部２０を被検眼Ｅに対応する高さ位置とする。このとき、眼科装置１０では、合焦駆動機構２１Ｄを介して、ＣＣＤカメラ２１ｉの光軸Ｏ１上での位置を第２焦点位置ｆ２（図３参照）とする。これにより、眼科装置１０では、被検眼Ｅ（その前眼部（角膜Ｅｃ））の画像を適切に表示部１４に表示させることができる。その後、眼科装置１０では、装置本体部１３をＺ軸方向正側へと移動して、眼圧測定部２０を被検眼Ｅに近付けていき、図６（ａ）に示すように、その気流吹付ノズル２１ｂの先端を被検眼Ｅから所定の距離（間隔ｄ１）に位置するものとして、眼圧測定部２０を被検眼Ｅに対応させる。このとき、眼科装置１０では、合焦駆動機構２１Ｄを介して、ＣＣＤカメラ２１ｉの光軸Ｏ１上での位置を第１焦点位置ｆ１（図３参照）へと移動する。これにより、眼科装置１０では、被検眼Ｅ（その前眼部（角膜Ｅｃ））の画像を適切に表示部１４に表示させることができる。そして、眼科装置１０では、眼圧測定部２０の上述した動作により、被検眼Ｅの眼圧を測定する。
【００９５】
これにより、眼科装置１０では、眼特性測定部４０により被検眼Ｅの角膜Ｅｃの形状と被検眼Ｅの眼屈折力（球面度数、乱視度数、乱視軸角度等）とを測定し、眼圧測定部２０により被検眼Ｅの眼圧を測定することができる。
【００９６】
本発明に係る眼科装置の一実施例としての眼科装置１０では、眼圧測定部２０と眼特性測定部４０とにおいて、少なくとも一方の光学系の一部を他方の光学系に交差させた配置としている。このため、眼科装置１０では、眼圧測定部２０と眼特性測定部４０との一部を入り組ませて構成することができ、眼圧測定部２０と眼特性測定部４０とを合わせた全体としての占有空間を低減することができる。これにより、眼科装置１０では、眼圧測定部２０と眼特性測定部４０とを配置するために利用する空間を低減することができ、装置本体部１３の大きさ寸法を低減することができる。よって、眼科装置１０では、眼圧測定部２０とその他の眼特性測定部（上記した実施例では眼特性測定部４０）とを設けても、装置周辺の空間を効率よく利用することを可能とすることができる。
【００９７】
また、眼科装置１０では、眼圧測定部２０の光学系と眼特性測定部４０の光学系とにおいて、間隔を置いて配置される２つの光学部材の間の光路を交差させることで、一方の光学系の一部を他方の光学系に交差させた配置としている。このため、眼科装置１０では、眼圧測定部２０と眼特性測定部４０とのそれぞれの光学系における光学的な作用を阻害することを防止しつつ、２つの光学部材の間に設けられる間隔を有効的に利用することができる。これにより、眼科装置１０では、眼圧測定部２０と眼特性測定部４０とのそれぞれの機能を損なうことなく、装置本体部１３の大きさ寸法を低減することができる。
【００９８】
さらに、眼科装置１０では、基本的に眼特性測定部４０の上方に眼圧測定部２０を設け、その眼圧測定部２０の圧平検出光学系２４のレンズ２４ａからピンホール板２４ｂおよびセンサ２４ｃへと至る光路を下方へ向けて屈曲させて、眼特性測定部４０（その光学系）の主光軸Ｏ１０に交差箇所Ｃで交差させて配置している。このため、眼科装置１０では、眼特性測定部４０の配置に利用する空間の大きさの増大を招くことを防止しつつ、装置本体部１３の上部において、眼圧測定部２０の配置に利用する空間の大きさを低減することができる。
【００９９】
眼科装置１０では、装置本体部１３の上部において眼圧測定部２０の配置に利用する空間の大きさを低減することができるので、装置本体部１３の上部をより小さな構成とすることができる。このため、眼科装置１０では、眼圧測定部２０により被検眼Ｅの眼圧を測定する際、検者が開瞼（被検者が瞼を閉じないように押さえる）することや被検眼Ｅの様子を直に観察することを容易なものとすることができる。
【０１００】
眼科装置１０では、装置本体部１３において、眼圧測定部２０における主光軸となる光軸Ｏ１を、眼特性測定部４０における後述する主光軸Ｏ１０よりも上方（Ｙ軸方向正側）に設けている。このため、眼圧測定モードにおいて、眼圧測定部２０よりも上方に位置するもの（本実施例では気流吹付機構３４）を小さなものとすることができるので、検者が開瞼（被検者が瞼を閉じないように押さえる）することや被検眼Ｅの様子を直に観察することを容易なものとすることができる。
【０１０１】
眼科装置１０では、眼圧測定部２０と眼特性測定部４０とを一体的な構成としている。このため、眼科装置１０では、眼圧測定部２０と眼特性測定部４０との位置関係を変更させる必要をなくすことができ、その位置関係の変更のための構成をなくすことができる。これにより、眼科装置１０では、眼圧測定部２０と眼特性測定部４０とを個別に支持する構成を設ける必要がなくなるともに、それらの位置関係を変更させる機構を設ける必要がなくなるので、装置本体部１３の大きさ寸法を大幅に低減することができる。
【０１０２】
眼科装置１０では、眼圧測定部２０と眼特性測定部４０とを一体的な構成とし、それらを駆動部１２により一体的に移動させることで、眼圧測定モードと眼特性測定モードとで切り替えることができる。このため、眼科装置１０では、全体としての大きさ寸法を低減しつつ両測定モードの切り替えのための制御を簡易なものとすることができる。
【０１０３】
眼科装置１０では、眼圧測定部２０の前端（上記した実施例では気流吹付ノズル２１ｂ）を、眼特性測定部４０の前端（上記した実施例ではリングパターン４７）よりもＺ軸方向正側（被検者側）に変位させている。このため、眼科装置１０では、基本的に眼特性測定部４０の上方に眼圧測定部２０を一体的に設ける構成であっても、眼圧測定モード時に、被検者の鼻や口の前に空間を確保することができ、眼特性測定部４０の前端が被検者の鼻や口に接触することや、被検者に窮屈な感覚を与えることを防止することができる。
【０１０４】
眼科装置１０では、眼特性測定部４０において、測定を実行する際の被検眼Ｅ（その角膜頂点Ｅｐ）から眼特性測定部４０の前端（リングパターン４７）までの基準間隔を、７５ｍｍ以上の間隔ｄ２としている。このため、眼科装置１０では、眼特性測定モードとした際に、眼特性測定部４０を基準間隔から上記した移動幅でＺ軸方向正側へと移動させても、眼圧測定部２０の前端が顎受部１５（被検者）に干渉することを確実に防止することができる。これにより、眼科装置１０では、眼圧測定部２０の前端を眼特性測定部４０の前端よりもＺ軸方向正側（被検者側）に変位させて一体的に設ける構成であっても、眼特性測定部４０を基準間隔から上記した移動幅でＺ軸方向正側へと移動させつつ当該眼特性測定部４０による測定を行うことができる。
【０１０５】
眼科装置１０では、制御部３３が高さ位置検出部４８からの信号を取得すると、眼圧測定モードである場合、あるいは眼圧測定部２０が所定の前後位置よりもＺ軸方向正側（被検者側）に存在している場合、装置本体部１３を上方へと移動させることを止める。その眼圧測定モードである場合、その眼圧測定部２０の前端である気流吹付ノズル２１ｂの先端が、被検眼Ｅから所定の距離（間隔ｄ１（上記した実施例では１１ｍｍ））に位置されていることから、装置本体部１３すなわち眼圧測定部２０がそのまま上方に移動すると額当部１６と干渉する虞がある。また、眼圧測定部２０が所定の前後位置よりもＺ軸方向正側（被検者側）に存在している場合、所定の前後位置の設定により、装置本体部１３すなわち眼圧測定部２０がそのまま上方に移動すると額当部１６と干渉する虞がある。このため、眼科装置１０では、眼圧測定部２０の前端（上記した実施例では気流吹付ノズル２１ｂ）が、額当部１６と干渉することを確実に防止することができる。
【０１０６】
眼科装置１０では、眼圧測定部２０と眼特性測定部４０とを単一の取付基盤４９の表面と裏面とに取り付けて構成している。このため、眼科装置１０では、簡易な構成としつつ眼圧測定部２０と眼特性測定部４０とを一体的な構成とすることができる。
【０１０７】
眼科装置１０では、眼圧測定部２０と眼特性測定部４０とを単一の取付基盤４９の表面と裏面とに取り付けて構成していることから、取付基盤４９を駆動部１２により移動可能に支持することで、眼圧測定部２０と眼特性測定部４０との双方を一体的に移動させることができる。このため、眼科装置１０では、簡易な構成としつつ双方の測定モードの切り替えのための制御を容易なものとすることができる。
【０１０８】
眼科装置１０では、眼圧測定部２０と眼特性測定部４０とを一体的な構成として、眼圧測定部２０と眼特性測定部４０との位置関係を変更しないものとしていることから、眼圧測定部２０と眼特性測定部４０との位置関係を規定することを容易なものとすることができるので、眼圧測定部２０と眼特性測定部４０とにおいて、少なくとも一方の光学系の一部を他方の光学系に交差させた配置とすることを容易なものとすることができる。
【０１０９】
眼科装置１０では、眼圧測定部２０と眼特性測定部４０とにおいて一方の光学系の一部を他方の光学系に交差させることで、眼圧測定部２０と眼特性測定部４０との一部を入り組ませて一体的な構成としている。このため、眼科装置１０では、眼圧測定部２０と眼特性測定部４０とが全体として占有する空間を低減することができ、装置本体部１３の大きさ寸法を大幅に低減することができる。
【０１１０】
眼科装置１０では、眼圧測定部２０と眼特性測定部４０とを単一の取付基盤４９の表面と裏面とに取り付けて構成していることから、眼圧測定部２０と眼特性測定部４０との位置関係を規定することをより容易なものとすることができるので、眼圧測定部２０と眼特性測定部４０とにおいて、少なくとも一方の光学系の一部を他方の光学系に交差させた配置とすることをより容易なものとすることができる。
【０１１１】
眼科装置１０では、眼圧測定部２０を取付基盤４９の一方の面（上記した実施例では上面）に取り付けるとともに、眼特性測定部４０を当該取付基盤４９の他方の面（上記した実施例では下面）に取り付けていることから、個別に構成することと比較して、眼圧測定部２０の光軸Ｏ１と眼特性測定部４０の主光軸Ｏ１０との間隔（以下では、両測定部の軸間距離ともいう）を小さなものとすることができる。このため、眼科装置１０では、装置本体部１３の大きさ寸法を低減することができるとともに、眼圧測定モードと眼特性測定モードとの切り替えるために装置本体部１３を移動させる距離を小さなものとすることができる。これにより、眼科装置１０では、全体の大きさ寸法を低減することができる。
【０１１２】
眼科装置１０では、両測定部の軸間距離を小さなものとして、両測定モードの切り替えのために装置本体部１３を移動させる距離を小さなものとすることができるので、その切り替え（移動）に要する時間を短縮することができ、その移動に要する駆動力を低減することができ、その駆動力を生成する駆動源を小型化することができる。この移動に要する駆動力を低減することができるのは、以下のことによる。駆動部１２は、装置本体部１３をＹ軸方向に移動させるためのＹ軸駆動部分１２ａを、支持支柱１２ｄ（ベース１１）に対してＹ軸移動枠１２ｅを弾性部材が釣り合う位置で支持し、駆動力伝達機構により支持支柱１２ｄに対してＹ軸移動枠１２ｅをＹ軸方向へと移動させる移動力を付与することで、Ｙ軸移動枠１２ｅを弾性部材が釣り合う位置からＹ軸方向へと移動させる構成としている。このため、弾性部材が釣り合う位置から離れるに連れて、当該弾性部材を変形させるために要する力が大きくなってしまう。このため、装置本体部１３を移動させる距離を小さなものとすることにより、移動に要する駆動力を低減することができる。
【０１１３】
眼科装置１０では、保護部材５１を、両取付部５１ｂを介して支持箇所１６ａに取り付けることが可能とされている。その保護部材５１は、額当部１６に額を宛がった被検者の髪の毛を保護本体部５１ａで受けることにより、当該髪の毛が保護本体部５１ａよりも前方に伸びて存在することを防止することができる。このため、眼科装置１０では、顔を固定した被検者の髪の毛が眼圧測定部２０の前眼部観察光学系２１の前眼部窓ガラス２１ｃに触れることを防止することができ、油分や汚れ等の付着により当該前眼部窓ガラス２１ｃが汚れることを防止することができる。
【０１１４】
眼科装置１０では、保護部材５１が、支持箇所１６ａに取り付けることと支持箇所１６ａから取り外すこととが容易とされていることから、必要に応じて保護部材５１を用いることができるので、使い勝手を向上させることができる。
【０１１５】
眼科装置１０では、表示部１４に、眼圧測定モードとする切替アイコン５２と、眼特性測定モードとする切替アイコン５３と、を表示することができ、それらに触れることで眼圧測定モードと眼特性測定モードとを切り替えることができる。換言すると、眼科装置１０では、表示部１４に表示したアイコン（切替アイコン５２および切替アイコン５３）により、眼圧測定モードまたは眼特性測定モードの選択操作を行うことができる。このため、眼科装置１０では、表示部１４を見ながら測定を行う検者が、自らが誤った測定モードを選択したことに気付くと、直ちに所望の測定モードに選択し直すことを可能とすることができる。このことから、眼科装置１０では、使い勝手を向上させることができる。
【０１１６】
眼科装置１０では、眼圧測定部２０においてＣＣＤカメラ２１ｉを合焦駆動機構２１Ｄにより光軸Ｏ１に沿って移動可能として、そのＣＣＤカメラ２１ｉを移動させることで被検眼Ｅの前眼部（角膜Ｅｃ）にピントを合わせる構成としている。このため、眼科装置１０では、眼圧測定部２０を被検眼Ｅに対応する高さ位置とすると、その眼圧測定部２０と被検眼Ｅとの間隔に関わらず、被検眼Ｅ（その前眼部（角膜Ｅｃ））の画像を適切に表示部１４に表示させることができる。
【０１１７】
眼科装置１０では、眼圧測定部２０を被検眼Ｅに対応する高さ位置とした状態において、ベース１１に対する装置本体部１３（眼圧測定部２０）の位置、すなわち駆動部１２（そのＺ軸駆動部分１２ｂ）によるＺ軸方向（前後方向）での制御位置に応じて、ＣＣＤカメラ２１ｉの位置を第１焦点位置ｆ１はと第２焦点位置ｆ２とで切り替える。すなわち、眼科装置１０では、眼圧測定部２０と被検眼Ｅとの間隔が大きい場合にはＣＣＤカメラ２１ｉを第２焦点位置ｆ２に移動させるとともに、当該間隔が小さい場合にはＣＣＤカメラ２１ｉを第１焦点位置ｆ１に移動させる。このため、眼科装置１０では、ＣＣＤカメラ２１ｉにおいて、被検眼Ｅの前眼部（角膜Ｅｃ）にピントの合う位置（合焦位置）を検出するための機構を設けることなく、被検眼Ｅの前眼部（角膜Ｅｃ）におおまかにピントを合わせることができる。これにより、眼科装置１０では、簡易な構成としつつ、被検眼Ｅ（その前眼部（角膜Ｅｃ））の画像を表示部１４に表示させることができる。
【０１１８】
眼科装置１０では、眼圧測定部２０のＣＣＤカメラ２１ｉを光軸Ｏ１に沿って移動させる合焦駆動機構２１Ｄが、固視標投影光学系４１の固視標移動機構４１Ｄと駆動源を共用するものとしていることから、駆動源の個数を低減することができ、コストを低減することができる。
【０１１９】
眼科装置１０では、眼圧測定部２０と眼特性測定部４０とを単一の取付基盤４９の表面と裏面とに取り付けていることから、眼圧測定部２０の合焦駆動機構２１Ｄと固視標投影光学系４１の固視標移動機構４１Ｄとの駆動源を共用することを容易なものとすることができる。
【０１２０】
眼科装置１０では、眼特性測定部４０において、固視標投影光学系４１の固視標ユニット４１Ｕを移動させる固視標移動機構４１Ｄと、眼屈折力測定用リング状指標投影光学系４３の指標ユニット４３Ｕと受光光学系４４の撮像素子４４ｄとを連動して移動させる指標移動機構４３Ｄと、を互いに独立して構成している。このため、眼科装置１０では、固視標投影光学系４１の固視標ユニット４１Ｕと、眼屈折力測定用リング状指標投影光学系４３の指標ユニット４３Ｕおよび受光光学系４４の撮像素子４４ｄと、を個別に移動させることができるので、測定の自由度を高めることができるとともに、使い勝手を向上させることができる。
【０１２１】
したがって、本発明に係る眼科装置の一実施例としての眼科装置１０では、眼圧測定部とその他の眼特性測定部とを設けても、装置周辺の空間を効率よく利用することを可能とすることができる。
【０１２２】
なお、上記した実施例では、本発明に係る眼科装置の一実施例としての眼科装置１０について説明したが、被検者の被検眼の角膜に流体を吹き付けて前記角膜を変形させて眼圧を測定する眼圧測定部と、前記被検眼からの反射光を受光して前記被検眼の光学特性を測定する眼特性測定部と、を備え、前記眼圧測定部と前記眼特性測定部とは、少なくとも一方の光学系の一部を他方の光学系に交差させて配置されている眼科装置であればよく、上記した実施例に限定されるものではない。
【０１２３】
また、上記した実施例では、基本的に眼特性測定部４０の上方に眼圧測定部２０を設け、その眼圧測定部２０の圧平検出光学系２４のレンズ２４ａからピンホール板２４ｂおよびセンサ２４ｃへと至る光路を下方へ向けて屈曲させて、眼特性測定部４０（その光学系）の主光軸Ｏ１０に交差箇所Ｃで交差させて配置している。しかしながら、眼圧測定部２０と眼特性測定部４０とにおいて、少なくとも一方の光学系の一部を他方の光学系に交差させた配置とするものであれば、眼圧測定部２０の上方に眼特性測定部４０を設けるものであってもよく、他の構成であってもよく、上記した実施例に限定するものではない。また、眼圧測定部２０と眼特性測定部４０とにおいて、少なくとも一方の光学系の一部を他方の光学系に交差させた配置とするものであれば、眼圧測定部２０の他の光学系（光学部材）を眼特性測定部４０の光路に向けて屈曲することで眼特性測定部４０の光学系に交差させるものであってもよく、眼特性測定部４０の光学系（光学部材）を眼圧測定部２０の光路に向けて屈曲することで眼圧測定部２０の光学系に交差させるものであってもよく、双方の光学系を相手の光路に向けて屈曲することで互いの光学系を交差させるものであってもよく、上記した実施例に限定するものではない。そのとき、他方の光路に向けて屈曲する光学系は、単一のものに限らず、複数のものであってもよい。その眼圧測定部２０の他の光学系（光学部材）としては、上記した実施例の構成では、例えば、前眼部観察光学系２１のＣＣＤカメラ２１ｉや、ＸＹアライメント指標投影光学系２２や固視標投影光学系２３（それらの光学部材）を、眼特性測定部４０の光学系に交差させることがあげられる。ここで、前眼部観察光学系２１のＣＣＤカメラ２１ｉを交差させる場合、上記したセンサ２４ｃと同様に眼特性測定部４０の光路を跨ぐ位置に設けるものであってもよく、眼特性測定部４０の光路に合流させてＣＣＤカメラ２１ｉと撮像素子４２ｄとを単一の撮像素子として共用するものとしてもよい。
【０１２４】
さらに、上記した実施例では、眼圧測定部２０においてＣＣＤカメラ２１ｉの位置を第１焦点位置ｆ１はと第２焦点位置ｆ２とで切り替えるものとしていたが、ＣＣＤカメラ２１ｉを移動させることで被検眼Ｅの前眼部（角膜Ｅｃ）にピントを合わせるものであれば、その移動の態様は適宜設定すればよく、上記した実施例に限定されるものではない。
【０１２５】
上記した実施例では、眼圧測定部として眼圧測定部２０を搭載していたが、被検者の被検眼Ｅの角膜Ｅｃに流体を吹き付けて当該角膜Ｅｃを変形させて当該被検眼Ｅの眼圧を測定するものであれば、光学的な構成、各光学部材の配置および測定原理が異なるものであってもよく、上記した実施例に限定されるものではない。
【０１２６】
上記した実施例では、眼特性測定部として眼特性測定部４０を搭載していたが、被検眼Ｅからの反射光を受光して当該被検眼Ｅの光学特性を測定するものであれば、光学的な構成、各光学部材の配置および測定原理が異なるものであってもよく、測定の内容（種類）が異なるものであってもよく、上記した実施例に限定されるものではない。
【０１２７】
以上、本発明の眼科装置を実施例に基づき説明してきたが、具体的な構成については実施例に限られるものではなく、本発明の要旨を逸脱しない限り、設計の変更や追加等は許容される。
【符号の説明】
【０１２８】
１０  眼科装置
２０  眼圧測定部
２１ｂ  （眼圧測定部の前端の一例としての）気流吹付ノズル
２４ｃ  （流体の吹き付けにより変形した角膜の形状を検出すべく、角膜からの反射光を受光する受光部の一例としての）センサ
４０  眼特性測定部
４１ｈ  （測定時に被検眼と対向される対物レンズの一例としての）対物レンズ
４７  （眼特性測定部の前端の一例としての）リングパターン
４９  取付基盤
ｄ２  （基準間隔の一例としての）間隔
Ｅ  被検眼
Ｅｃ  角膜
Ｏ１  （眼圧測定部の主光軸の一例としての）光軸
Ｏ１０  主光軸
【図１】
2014217699.tif 000003
【図２】
2014217699.tif 000004
【図３】
2014217699.tif 000005
【図４】
2014217699.tif 000006
【図５】
2014217699.tif 000007
【図６】
2014217699.tif 000008
【図７】
2014217699.tif 000009
【図８】
2014217699.tif 000010
【図９】
2014217699.tif 000011
【図１０】
2014217699.tif 000012